(57)【特許請求の範囲】
【請求項１】
少なくとも2つのサービス処理サブラックと少なくとも1つの光クロスコネクトサブラックとを備えるサービス切り替えシステムであって、
それぞれのサービス処理サブラックは光ファイバを用いてそれぞれの光クロスコネクトサブラックへ接続され、
それぞれのサービス処理サブラックは、外部から入力されるサービスデータ電気信号のサービス切り替えを遂行し、前記サービス切り替え済みサービスデータ電気信号を光信号に変換し、1つ以上の光クロスコネクトサブラックへ前記光信号を送信するよう構成され、および／または、1つ以上の光クロスコネクトサブラックから到来するサービスデータ光信号を受信し、前記光信号を電気信号に変換し、サービス切り替えを遂行し、前記サービス切り替え済みサービスデータ電気信号を出力するよう構成され、
それぞれの光クロスコネクトサブラックは、1つ以上のサービス処理サブラックから到来するサービスデータ光信号を受信し、受信した前記光信号の光クロスコネクトを遂行し、前記クロスコネクト済み光信号を前記1つ以上のサービス処理サブラックへ出力するよう構成され、
帯域幅制御ユニットをさらに備え、それぞれのサービス処理サブラックは前記帯域幅制御ユニットへ接続され、
前記帯域幅制御ユニットは、前記サービス処理サブラックが様々なサービスのサービス切り替えを遂行するときに、前記サービス処理サブラックのために帯域幅制御を遂行するよう構成される、サービス切り替えシステム。
【請求項２】
前記サービス処理サブラックは、少なくとも1つのサービス処理ユニットと、少なくとも1つの電気的切り替えユニットと、少なくとも1つのインターフェース適応ユニットとを備え、
前記サービス処理ユニットは、外部から入力されるサービスデータ電気信号のサービス処理を遂行し、前記サービス処理済みサービスデータ電気信号を前記電気的切り替えユニットへ送信するよう構成され、および／または、前記電気的切り替えユニットによって送信されるサービス切り替え済みサービスデータ電気信号を受信し処理し、処理された前記サービスデータ電気信号を出力するよう構成され、
前記電気的切り替えユニットは、前記サービス処理ユニットによって送信される前記サービスデータ電気信号を受信し、前記帯域幅制御ユニットによって送信される切り替え制御情報に従ってサービス切り替えを遂行し、前記サービス切り替え済みサービスデータ電気信号を前記インターフェース適応ユニットへ送信するよう構成され、および／または、前記インターフェース適応ユニットからサービスデータ電気信号を受信し、前記帯域幅制御ユニットによって送信される切り替え制御情報に従ってサービス切り替えを遂行し、前記サービス切り替え済みサービスデータ電気信号を前記サービス処理ユニットへ送信するよう構成され、
前記インターフェース適応ユニットは、前記電気的切り替えユニットによって送信される前記サービスデータ電気信号を受信し、前記帯域幅制御ユニットによって送信される適応制御情報に従ってサービスデータを前記電気信号から光信号に変換し、前記光信号を前記光クロスコネクトサブラックへ送信するよう構成され、および／または、光クロスコネクトサブラックによって送信されるサービスデータ光信号を受信し、前記帯域幅制御ユニットによって送信される適応制御情報に従ってサービスデータを前記光信号から電気信号に変換し、前記電気信号を前記電気的切り替えユニットへ送信するよう構成される、請求項1に記載のサービス切り替えシステム。
【請求項３】
前記光クロスコネクトサブラックは少なくとも1つの光クロスコネクトユニットを備え、
前記光クロスコネクトユニットは、1つ以上のサービス処理サブラックから到来するサービスデータ光信号を受信し、受信した前記光信号の光クロスコネクトを遂行し、前記クロスコネクト済み光信号を前記1つ以上のサービス処理サブラックへ出力するよう構成される、請求項1または2に記載のサービス切り替えシステム。
【請求項４】
前記電気的切り替えユニットは、第1の電気信号インターフェースと、電気的切り替えモジュールと、第2の電気信号インターフェースと、第1の帯域幅制御インターフェースとを備え、
前記電気的切り替えモジュールは、前記サービス処理ユニットによって送信される前記サービスデータ電気信号を前記第1の信号インターフェースを用いて受信し、前記帯域幅制御ユニットによって送信されて前記第1の帯域幅制御インターフェースから受信される前記切り替え制御情報に従ってサービス切り替えを遂行し、前記第2の電気信号インターフェースを用いて前記インターフェース適応ユニットへ前記サービス切り替え済みサービスデータ電気信号を送信するよう構成され、および／または、前記インターフェース適応ユニットによって送信される前記サービスデータ電気信号を前記第2の信号インターフェースを用いて受信し、前記帯域幅制御ユニットによって送信されて前記第1の帯域幅制御インターフェースから受信される前記切り替え制御情報に従ってサービス切り替えを遂行し、前記第1の電気信号インターフェースを用いて前記サービス処理ユニットへ前記サービス切り替え済みサービスデータ電気信号を送信するよう構成される、請求項2に記載のサービス切り替えシステム。
【請求項５】
前記インターフェース適応ユニットは、第3の電気信号インターフェースと、適応処理モジュールと、光・電気変換インターフェースと、第2の帯域幅制御インターフェースとを備え、
前記適応処理モジュールは、前記第3の電気信号インターフェースを用いて前記電気的切り替えユニットから前記サービスデータ電気信号を受信し、前記帯域幅制御ユニットによって送信されて前記第2の帯域幅制御インターフェースから受信される前記適応制御情報に従って適応処理を遂行し、前記適応処理済みサービスデータ電気信号を前記光・電気変換インターフェースへ送信するよう構成され、および／または、前記光・電気変換インターフェースによって送信されるサービスデータ電気信号を受信し、前記帯域幅制御ユニットによって送信されて前記第2の帯域幅制御インターフェースから受信される前記適応制御情報に従って適応処理を遂行し、前記第3の電気信号インターフェースを用いて前記電気的切り替えユニットへ前記適応処理済みサービスデータ電気信号を送信するよう構成され、
前記光・電気変換インターフェースは、前記適応処理モジュールから受信される前記サービスデータ電気信号を光信号に変換し、前記光クロスコネクトサブラック内の前記光クロスコネクトユニットへ前記光信号を送信するよう構成され、および／または、前記光クロスコネクトユニットから受信される前記サービスデータ光信号を電気信号に変換し、前記適応処理モジュールへ前記電気信号を送信するよう構成される、請求項2または3に記載のサービス切り替えシステム。
【請求項６】
前記帯域幅制御ユニットによって送信される前記適応制御情報は遅延情報と送信制御情報とを備え、
前記適応処理モジュールは、具体的には、前記サービスデータを回復するため、前記第3の電気信号インターフェースから受信される前記サービスデータ電気信号に対し受信処理を遂行し、回復された前記サービスデータから第1のリンク状態情報を取得し、回復された前記サービスデータに対し並べ替え・整列処理を遂行し、回復された前記サービスデータをキャッシュし、キャッシュされた前記サービスデータを前記帯域幅制御ユニットによって送信される前記送信制御情報と第2のリンク状態情報とに従って前記光・電気変換インターフェースへ送信するよう構成され、
前記サービスデータを回復するため、前記光・電気変換インターフェースから受信される前記サービスデータ電気信号に対し受信処理を遂行し、回復された前記サービスデータから第2のリンク状態情報を取得し、回復された前記サービスデータをキャッシュし、前記帯域幅制御ユニットによって送信される前記遅延情報に従ってキャッシュされた前記サービスデータを読み取り、読み取られた前記サービスデータを第1のリンク状態情報に従って前記第3の電気信号インターフェースへ送信するよう構成される、請求項5に記載のサービス切り替えシステム。
【請求項７】
前記光クロスコネクトユニットは、4つの光ファイバインターフェースと、ダイナミック光クロスコネクタと、第3の帯域幅制御インターフェースとを備え、
前記ダイナミック光クロスコネクタは、1つ以上のサービス処理サブラックから到来する前記サービスデータ光信号をいずれかの光ファイバインターフェースを用いて受信し、前記帯域幅制御ユニットによって送信されて前記第3の帯域幅制御インターフェースを用いて受信される光クロスコネクト制御情報に従って光クロスコネクトを遂行し、クロスコネクトされた前記光信号をいずれかの光ファイバインターフェースを用いて前記1つ以上のサービス処理サブラックへ出力するよう構成される、
請求項3に記載のサービス切り替えシステム。
【請求項８】
前記サービス処理ユニットは動的サービス処理のときに取得したトラフィック情報を前記帯域幅制御ユニットへ送信し、
前記帯域幅制御ユニットは、動的サービス処理のときに、サービス設定情報を取得し前記トラフィック情報を受信し、前記サービス設定情報と前記トラフィック情報とに従って各インターフェース適応ユニットと各光クロスコネクトユニットとの間に必要な光接続帯域幅を判断し、各インターフェース適応ユニットと各光クロスコネクトユニットとの間に必要な判断した前記光接続帯域幅に従って切り替え制御情報と適応制御情報と光クロスコネクト制御情報とを生成し、前記切り替え制御情報と前記適応制御情報と前記光クロスコネクト制御情報とを前記電気的切り替えユニットと前記インターフェース適応ユニットと前記光クロスコネクトユニットとへそれぞれ送信するよう構成され、および／または、
静的サービス処理のときに、サービス設定情報を取得し、前記サービス設定情報に従って各インターフェース適応ユニットと各光クロスコネクトユニットとの間に必要な光接続帯域幅を判断し、各インターフェース適応ユニットと各光クロスコネクトユニットとの間に必要な判断した前記光接続帯域幅に従って切り替え制御情報と適応制御情報と光クロスコネクト制御情報とを生成し、前記切り替え制御情報と前記適応制御情報と前記光クロスコネクト制御情報とを前記電気的切り替えユニットと前記インターフェース適応ユニットと前記光クロスコネクトユニットとへそれぞれ送信するよう構成される、
請求項7に記載のサービス切り替えシステム。
【請求項９】
前記帯域幅制御ユニットは、第1のトラフィック情報受信インターフェースと、第1の設定インターフェースと、第1のサービス帯域幅コントローラと、第4の帯域幅制御インターフェースとを備え、
前記第1のサービス帯域幅コントローラは、動的サービス処理のときに、前記第1の設定インターフェースを用いて前記サービス設定情報を取得し前記第1のトラフィック情報受信インターフェースを用いて前記トラフィック情報を受信し、前記サービス設定情報と前記トラフィック情報とに従って各インターフェース適応ユニットと各光クロスコネクトユニットとの間に必要な前記光接続帯域幅を判断し、各インターフェース適応ユニットと各光クロスコネクトユニットとの間に必要な判断した前記光接続帯域幅に従って前記切り替え制御情報と前記適応制御情報と前記光クロスコネクト制御情報とを生成し、前記第4の帯域幅制御インターフェースを用いて前記切り替え制御情報と前記適応制御情報と前記光クロスコネクト制御情報とを前記電気的切り替えユニットと前記インターフェース適応ユニットと前記光クロスコネクトユニットとへそれぞれ送信するよう構成され、および／または、
静的サービス処理のときに、前記第1の設定インターフェースを用いて前記サービス設定情報を取得し、前記サービス設定情報に従って各インターフェース適応ユニットと各光クロスコネクトユニットとの間に必要な前記光接続帯域幅を判断し、各インターフェース適応ユニットと各光クロスコネクトユニットとの間に必要な判断した前記光接続帯域幅に従って前記切り替え制御情報と前記適応制御情報と前記光クロスコネクト制御情報とを生成し、前記第4の帯域幅制御インターフェースを用いて前記切り替え制御情報と前記適応制御情報と前記光クロスコネクト制御情報とを前記電気的切り替えユニットと前記インターフェース適応ユニットと前記光クロスコネクトユニットとへそれぞれ送信するよう構成される、
請求項3から8のいずれか一項に記載のサービス切り替えシステム。
【請求項１０】
前記光クロスコネクトユニットは、4つの光ファイバインターフェースと、スタティック光クロスコネクタとを備え、
前記スタティック光クロスコネクタは、1つ以上のサービス処理サブラックから到来する前記サービスデータ光信号をいずれかの光ファイバインターフェースを用いて受信し、前記スタティック光クロスコネクタの光入力ポートと光出力ポートとの固定接続関係に従って光クロスコネクトを遂行し、クロスコネクトされた前記光信号をいずれかの光ファイバインターフェースを用いて前記1つ以上のサービス処理サブラックへ出力するよう構成され、
前記光・電気変換インターフェースは、前記第2の帯域幅制御インターフェースを用いて前記帯域幅制御ユニットから光信号波長調整情報を受信し、前記光信号波長調整情報に従って光信号送信の波長を判断し、判断した前記光信号波長に従って前記適応処理モジュールから受信される前記サービスデータ電気信号を光信号に変換し、前記光クロスコネクトユニット内にある前記スタティッククロスコネクタへ前記光信号を送信するよう構成され、または、前記光クロスコネクトユニット内にある前記スタティック光クロスコネクタから受信される前記サービスデータ光信号を電気信号に変換し、前記電気信号を前記適応処理モジュールへ送信するよう構成される、
請求項5に記載のサービス切り替えシステム。
【請求項１１】
前記帯域幅制御ユニットは、前記サービス処理サブラックか前記光クロスコネクトサブラックから独立した装置であり、あるいは前記サービス処理サブラックか前記光クロスコネクトサブラックに組み込まれる、請求項1、8、または、9のいずれか一項に記載のサービス切り替えシステム。
【請求項１２】
前記サービス処理ユニット、前記電気的切り替えユニット、および前記インターフェース適応ユニットの内いずれか2つまたは3つは、1枚の基板に組み込まれる、請求項2から11のいずれか一項に記載のサービス切り替えシステム。
【請求項１３】
請求項1に記載の前記サービス切り替えシステムに応用されるサービス切り替え方法であって、
サービス処理サブラックにより、外部から入力されるサービスデータ電気信号のサービス切り替えを遂行し、前記サービス切り替え済みサービスデータ電気信号を光信号に変換し、1つ以上の光クロスコネクトサブラックへ前記光信号を送信する、ステップと、
光クロスコネクトサブラックにより、1つ以上のサービス処理サブラックから到来するサービスデータ光信号を受信し、受信した前記光信号の光クロスコネクトを遂行し、前記クロスコネクト済み光信号を1つ以上のサービス処理サブラックへ出力する、ステップと、
前記サービス処理サブラックにより、1つ以上の光クロスコネクトサブラックから到来するサービスデータ光信号を受信し、前記光信号を電気信号に変換し、サービス切り替えを遂行し、前記サービス切り替え済みサービスデータ電気信号を出力する、ステップと
を含む、サービス切り替え方法。
【請求項１４】
前記帯域幅制御ユニットにより、前記サービス処理サブラックが様々なサービスのサービス切り替えを遂行するときに、前記サービス処理サブラックのために帯域幅制御を遂行するステップをさらに含む、請求項13に記載のサービス切り替え方法。
【請求項１５】
前記サービス処理サブラックは、少なくとも1つのサービス処理ユニットと、少なくとも1つの電気的切り替えユニットと、少なくとも1つのインターフェース適応ユニットとを備え、
サービス処理サブラックにより、外部から入力されるサービスデータ電気信号のサービス切り替えを遂行し、前記サービス切り替え済みサービスデータ電気信号を光信号に変換し、1つ以上の光クロスコネクトサブラックへ前記光信号を送信する、前記ステップは、
前記サービス処理ユニットにより、外部から入力される前記サービスデータ電気信号を受信し、サービス処理を遂行し、前記サービス処理済みサービスデータ電気信号を前記電気的切り替えユニットへ送信する、ステップと、
前記電気的切り替えユニットにより、前記サービス処理ユニットによって送信される前記サービスデータ電気信号を受信し、前記帯域幅制御ユニットによって送信される切り替え制御情報に従ってサービス切り替えを遂行し、前記サービス切り替え済みサービスデータ電気信号を前記インターフェース適応ユニットへ送信する、ステップと、
前記インターフェース適応ユニットにより、前記電気的切り替えユニットによって送信される前記サービスデータ電気信号を受信し、前記帯域幅制御ユニットによって送信される適応制御情報に従ってサービスデータを前記電気信号から光信号に変換し、前記光信号を前記光クロスコネクトサブラックへ送信する、ステップと
を含み、
前記サービス処理サブラックにより、1つ以上の光クロスコネクトサブラックから到来するサービスデータ光信号を受信し、前記光信号を電気信号に変換し、サービス切り替えを遂行し、前記サービス切り替え済みサービスデータ電気信号を出力する、前記ステップは、
前記インターフェース適応ユニットにより、前記光クロスコネクトサブラックによって送信される前記サービスデータ光信号を受信し、前記帯域幅制御ユニットによって送信される前記適応制御情報に従ってサービスデータを前記光信号から電気信号に変換し、前記電気信号を前記電気的切り替えユニットへ送信する、ステップと、
前記電気的切り替えユニットにより、前記インターフェース適応ユニットから前記サービスデータ電気信号を受信し、前記帯域幅制御ユニットによって送信される前記切り替え制御情報に従ってサービス切り替えを遂行し、前記サービス切り替え済みサービスデータ電気信号を前記サービス処理ユニットへ送信する、ステップと、
前記サービス処理ユニットにより、前記電気的切り替えユニットによって送信される前記サービス切り替え済みサービスデータ電気信号を受信し処理し、処理された前記サービスデータ電気信号を出力する、ステップと
を含む、請求項13または14に記載のサービス切り替え方法。
【請求項１６】
前記光クロスコネクトサブラックは少なくとも1つの光クロスコネクトユニットを備え、
光クロスコネクトサブラックにより、1つ以上のサービス処理サブラックから到来するサービスデータ光信号を受信し、受信した前記光信号の光クロスコネクトを遂行し、前記クロスコネクト済み光信号を1つ以上のサービス処理サブラックへ出力する、前記ステップは、
前記光クロスコネクトユニットにより、1つ以上のサービス処理サブラックから到来する前記サービスデータ光信号を受信し、受信した前記光信号の光クロスコネクトを遂行し、前記クロスコネクト済み光信号を1つ以上のサービス処理サブラックへ出力する、ステップを含む、請求項13から15のいずれか一項に記載のサービス切り替え方法。
【請求項１７】
前記インターフェース適応ユニットにより、前記電気的切り替えユニットによって送信される前記サービスデータ電気信号を受信し、前記帯域幅制御ユニットによって送信される適応制御情報に従ってサービスデータを前記電気信号から光信号に変換し、前記光信号を前記光クロスコネクトサブラックへ送信する、前記ステップは、
前記インターフェース適応ユニットにより、前記電気的切り替えユニットによって送信される前記サービスデータ電気信号を受信し、前記サービスデータを回復するため受信処理を遂行し、回復された前記サービスデータから第1のリンク状態情報を取得し、回復された前記サービスデータに対し並べ替え・整列処理を遂行し、回復された前記サービスデータをキャッシュし、キャッシュされた前記サービスデータをサービスデータ光信号に変換し前記帯域幅制御ユニットによって送信される送信制御情報と第2のリンク状態情報とに従って前記光クロスコネクトサブラック内にある前記光クロスコネクトユニットへ前記光信号を送信する、ステップを含み、
前記インターフェース適応ユニットにより、前記光クロスコネクトサブラックによって送信される前記サービスデータ光信号を受信し、前記帯域幅制御ユニットによって送信される前記適応制御情報に従ってサービスデータを前記光信号から電気信号に変換し、前記電気信号を前記電気的切り替えユニットへ送信する、前記ステップは、
前記インターフェース適応ユニットにより、前記光クロスコネクトサブラック内にある前記光クロスコネクトユニットによって送信される前記サービスデータ光信号を受信し、前記光信号を電気信号に変換し、前記サービスデータを回復するため受信処理を遂行し、回復された前記サービスデータから第2のリンク状態情報を取得し、回復された前記サービスデータをキャッシュし、前記帯域幅制御ユニットによって送信される遅延情報に従ってキャッシュされた前記サービスデータを読み取り、読み取られた前記サービスデータを前記第1のリンク状態情報に従って前記電気的切り替えユニットへ送信する、ステップを含む、
請求項16に記載のサービス切り替え方法。
【請求項１８】
前記サービス処理ユニットは動的サービス処理のときに取得したトラフィック情報を前記帯域幅制御ユニットへ送信し、
前記光クロスコネクトユニットがダイナミック光クロスコネクタを含む場合、前記帯域幅制御ユニットは、動的サービス処理のときに、サービス設定情報と前記トラフィック情報とに従って各インターフェース適応ユニットと各光クロスコネクトユニットとの間に必要な光接続帯域幅を判断し、各インターフェース適応ユニットと各光クロスコネクトユニットとの間に必要な判断した前記光接続帯域幅に従って切り替え制御情報と適応制御情報と光クロスコネクト制御情報とを生成し、前記切り替え制御情報と前記適応制御情報と前記光クロスコネクト制御情報とを前記電気的切り替えユニットと前記インターフェース適応ユニットと前記光クロスコネクトユニット内の前記ダイナミック光クロスコネクタとへそれぞれ送信し、および／または、静的サービス処理のときに、サービス設定情報を取得し、前記サービス設定に従って各インターフェース適応ユニットと各光クロスコネクトユニットとの間に必要な光接続帯域幅を判断し、各インターフェース適応ユニットと各光クロスコネクトユニットとの間に必要な判断した前記光接続帯域幅に従って切り替え制御情報と適応制御情報と光クロスコネクト制御情報とを生成し、前記切り替え制御情報と前記適応制御情報と前記光クロスコネクト制御情報とを前記電気的切り替えユニットと前記インターフェース適応ユニットと前記光クロスコネクトユニットとへそれぞれ送信する、請求項16に記載のサービス切り替え方法。
【請求項１９】
前記サービス処理ユニットは動的サービス処理のときに取得したトラフィック情報を前記帯域幅制御ユニットへ送信し、
前記光クロスコネクトユニットがスタティック光クロスコネクタを含む場合、前記帯域幅制御ユニットは、動的サービス処理のときに、サービス設定情報と前記トラフィック情報とに従って各インターフェース適応ユニットと各光クロスコネクトユニットとの間に必要な光接続帯域幅を判断し、各インターフェース適応ユニットと各光クロスコネクトユニットとの間に必要な判断した前記光接続帯域幅に従って切り替え制御情報と適応制御情報と光信号波長調整情報とを生成し、前記電気的切り替えユニットへ前記切り替え制御情報を送信し、前記インターフェース適応ユニットへ前記適応制御情報と前記光信号波長調整情報とを送信し、および／または、
静的サービス処理のときに、サービス設定情報を取得し、前記サービス設定情報に従って各インターフェース適応ユニットと各光クロスコネクトユニットとの間に必要な光接続帯域幅を判断し、各インターフェース適応ユニットと各光クロスコネクトユニットとの間に必要な判断した前記光接続帯域幅に従って切り替え制御情報と適応制御情報と光信号波長調整情報とを生成し、前記電気的切り替えユニットへ前記切り替え制御情報を送信し、前記インターフェース適応ユニットへ前記適応制御情報と前記光信号波長調整情報とを送信する、
請求項16に記載のサービス切り替え方法。
【発明の詳細な説明】
【技術分野】
【０００１】
本発明は通信ネットワークにおけるサービス切り替え技術に関し、具体的にはサービス切り替えシステムおよびサービス切り替え方法に関する。
【背景技術】
【０００２】
現在、通信ネットワークの発達とサービスベアラネットワークにおけるサービス帯域幅の急増にともない、電気的クラスタリング技術に基づくサービス切り替えシステムが登場している。このシステムは、相互に接続されて統一ソフトウェアを用いて制御される複数の大容量サービス処理サブラックを含んでいる。このシステムは1台の装置として、すなわちネットワークノードとして、具現される。
【０００３】
具体的に述べると、電気的クラスタリング技術に基づくサービス切り替えシステムの物理的アーキテクチャが図1に示されており、該システムは複数のサービス処理サブラックと複数の電気的切り替えサブラックを含んでいる。サービス処理サブラックは光ファイバを用いて電気的切り替えサブラックへ接続され、サービス処理サブラック間のサービス相互作用は電気的切り替えサブラックを介して遂行される。サブラック間サービスは2回のサービス処理操作と1回の電気的切り替え操作を要する。
【０００４】
図2には図1のサービス切り替えシステムのサブラック間接続構造が示されている。第1のサービス処理サブラック201によって出力される電気信号は第1の電気・光変換モジュール202を用いて光信号に変換され、光信号は光ファイバを用いて第1の光・電気変換モジュール203へ伝送される。第1の光・電気変換モジュール203は光信号を電気信号に変換し、電気的切り替えサブラック204へ電気信号を出力する。電気的切り替えサブラック204は電気的切り替えを遂行した後に第2の電気・光変換モジュール205へ電気信号を出力する。第2の電気・光変換モジュール205は電気信号を光信号に変換し、光ファイバを用いて第2の光・電気変換モジュール206へ光信号を伝送する。第2の光・電気変換モジュール206は光信号を電気信号に変換し、第2のサービス処理サブラック207へ電気信号を出力する。こうしてサービス切り替えは完了する。
【０００５】
サービス処理サブラックは電気的切り替えサブラックを用いて接続されるため、サービス切り替えのたびに1つの電気的切り替えサブラックと4つの光モジュールが必要であり、2回の光・電気変換と2回の電気・光変換と1回の電気的切り替えというコストをともなう。したがって、途絶しない切り替えを保証するには、サブラック間接続のための光モジュールの合計相互接続帯域幅をシステムサービスアクセス帯域幅の合計量の2倍にする必要があり、電気的切り替えサブラック内の切り替えネットワークチップの合計キャパシティも合計システムサービスアクセス帯域幅と同じにする必要がある。
【０００６】
そのようなクラスタリングに基づくサービス切り替えシステムによってシステムのエネルギー消費と重量と体積は分散され、配備の困難さが軽減されることが分かる。ただし、大規模な電気的クラスタリング技術に基づくサブラック間接続は比較的高い追加コストとさらなる電力消費をともなう。したがって、クラスタリングに基づくサービス切り替えシステムの相互接続コストを減らす必要がある。
【０００７】
加えて、従来の電気的クラスタリング技術に基づくサービス切り替えシステムで、サービス処理サブラックがより大きいサブラック間接続帯域幅を提供する必要がある場合は、サービス処理サブラックと電気的切り替えサブラックとの間の光モジュールのレートを増やす必要がある。この場合は、サービス処理サブラックのためにキャパシティがより大きいサービス処理チップとレートがより高いインターフェースモジュールとを選ぶ必要がある。また、サービス処理サブラックの変更に適応するため、電気的切り替えサブラックを相応にアップグレードする必要がある。つまり、電気的切り替えサブラックのためにもキャパシティがより大きい切り替えネットワークチップとレートがより高いインターフェースモジュールを選ぶ必要がある。このため、サービス処理サブラックと電気的切り替えサブラックを同時にアップグレードすることになり、システムアップグレードのコストは比較的高くなる。
【発明の概要】
【０００８】
本発明の実施形態は、サービス切り替えシステムの相互接続コストを減らすため、サービス切り替えシステムとサービス切り替え方法とを提供する。
【課題を解決するための手段】
【０００９】
上記の目標を達成するため、本発明の実施形態では以下に記す技術的解決手段が使われる。
【００１０】
第1の態様によると、本発明の一実施形態は、少なくとも2つのサービス処理サブラックと少なくとも1つの光クロスコネクトサブラックとを含むサービス切り替えシステムを提供し、
それぞれのサービス処理サブラックは光ファイバを用いてそれぞれの光クロスコネクトサブラックへ接続され、
それぞれのサービス処理サブラックは、外部から入力されるサービスデータ電気信号のサービス切り替えを遂行し、サービス切り替え済みサービスデータ電気信号を光信号に変換し、1つ以上の光クロスコネクトサブラックへ光信号を送信するよう構成され、および／または、1つ以上の光クロスコネクトサブラックから到来するサービスデータ光信号を受信し、光信号を電気信号に変換し、サービス切り替えを遂行し、サービス切り替え済みサービスデータ電気信号を外部へ出力するよう構成され、
それぞれの光クロスコネクトサブラックは、1つ以上のサービス処理サブラックから到来するサービスデータ光信号を受信し、受信した光信号の光クロスコネクトを遂行し、クロスコネクト済み光信号を1つ以上のサービス処理サブラックへ出力するよう構成される。
【００１１】
第1の態様を参照し、第1の可能な実装において、サービス切り替えシステムは帯域幅制御ユニットをさらに含み、それぞれのサービス処理サブラックは帯域幅制御ユニットへ接続され、
帯域幅制御ユニットは、サービス処理サブラックが様々なサービスのサービス切り替えを遂行するときに、サービス処理サブラックのために帯域幅制御を遂行するよう構成される。
【００１２】
第1の態様、または第1の態様の第1の可能な実装を参照し、第2の可能な実装において、サービス処理サブラックは、少なくとも1つのサービス処理ユニットと、少なくとも1つの電気的切り替えユニットと、少なくとも1つのインターフェース適応ユニットとを含み、
サービス処理ユニットは、外部から入力されるサービスデータ電気信号のサービス処理を遂行し、サービス処理済みサービスデータ電気信号を電気的切り替えユニットへ送信するよう構成され、および／または、電気的切り替えユニットによって送信されるサービス切り替え済みサービスデータ電気信号を受信し処理し、処理されたサービスデータ電気信号を出力するよう構成され、
電気的切り替えユニットは、サービス処理ユニットによって送信されるサービスデータ電気信号を受信し、帯域幅制御ユニットによって送信される切り替え制御情報に従ってサービス切り替えを遂行し、サービス切り替え済みサービスデータ電気信号をインターフェース適応ユニットへ送信するよう構成され、および／または、インターフェース適応ユニットからサービスデータ電気信号を受信し、帯域幅制御ユニットによって送信される切り替え制御情報に従ってサービス切り替えを遂行し、サービス切り替え済みサービスデータ電気信号をサービス処理ユニットへ送信するよう構成され、
インターフェース適応ユニットは、電気的切り替えユニットによって送信されるサービスデータ電気信号を受信し、帯域幅制御ユニットによって送信される適応制御情報に従ってサービスデータを電気信号から光信号に変換し、光信号を光クロスコネクトサブラックへ送信するよう構成され、および／または、光クロスコネクトサブラックによって送信されるサービスデータ光信号を受信し、帯域幅制御ユニットによって送信される適応制御情報に従ってサービスデータを光信号から電気信号に変換し、電気信号を電気的切り替えユニットへ送信するよう構成される。
【００１３】
第1の態様、または第1の態様の第2の可能な実装を参照し、第3の可能な実装において、光クロスコネクトサブラックは少なくとも1つの光クロスコネクトユニットを含み、
光クロスコネクトユニットは、1つ以上のサービス処理サブラックから到来するサービスデータ光信号を受信し、受信した光信号の光クロスコネクトを遂行し、クロスコネクト済み光信号を1つ以上のサービス処理サブラックへ出力するよう構成される。
【００１４】
第1の態様の第2の可能な実装を参照し、第4の可能な実装において、電気的切り替えユニットは、第1の電気信号インターフェースと、電気的切り替えモジュールと、第2の電気信号インターフェースと、第1の帯域幅制御インターフェースとを含み、
電気的切り替えモジュールは、サービス処理ユニットによって送信されるサービスデータ電気信号を第1の信号インターフェースを用いて受信し、帯域幅制御ユニットによって送信されて第1の帯域幅制御インターフェースから受信される切り替え制御情報に従ってサービス切り替えを遂行し、第2の電気信号インターフェースを用いてインターフェース適応ユニットへサービス切り替え済みサービスデータ電気信号を送信するよう構成され、および／または、インターフェース適応ユニットによって送信されるサービスデータ電気信号を第2の信号インターフェースを用いて受信し、帯域幅制御ユニットによって送信されて第1の帯域幅制御インターフェースから受信される切り替え制御情報に従ってサービス切り替えを遂行し、第1の電気信号インターフェースを用いてサービス処理ユニットへサービス切り替え済みサービスデータ電気信号を送信するよう構成される。
【００１５】
第1の態様の第3の可能な実装を参照し、第5の可能な実装において、インターフェース適応ユニットは、第3の電気信号インターフェースと、適応処理モジュールと、光・電気変換インターフェースと、第2の帯域幅制御インターフェースとを含み、
適応処理モジュールは、第3の電気信号インターフェースを用いて電気的切り替えユニットからサービスデータ電気信号を受信し、帯域幅制御ユニットによって送信されて第2の帯域幅制御インターフェースから受信される適応制御情報に従って適応処理を遂行し、適応処理済みサービスデータ電気信号を光・電気変換インターフェースへ送信するよう構成され、および／または、光・電気変換インターフェースによって送信されるサービスデータ電気信号を受信し、帯域幅制御ユニットによって送信されて第2の帯域幅制御インターフェースから受信される適応制御情報に従って適応処理を遂行し、第3の電気信号インターフェースを用いて電気的切り替えユニットへ適応処理済みサービスデータ電気信号を送信するよう構成され、
光・電気変換インターフェースは、適応処理モジュールから受信されるサービスデータ電気信号を光信号に変換し、光クロスコネクトサブラック内の光クロスコネクトユニットへ光信号を送信するよう構成され、および／または、光クロスコネクトユニットから受信されるサービスデータ光信号を電気信号に変換し、適応処理モジュールへ電気信号を送信するよう構成される。
【００１６】
第1の態様の第3または第5の可能な実装を参照し、第6の可能な実装において、帯域幅制御ユニットによって送信される適応制御情報は遅延情報と送信制御情報とを含み、
適応処理モジュールは、具体的には、サービスデータを回復するため、第3の電気信号インターフェースから受信されるサービスデータ電気信号に対し受信処理を遂行し、回復されたサービスデータから第1のリンク状態情報を取得し、回復されたサービスデータに対し並べ替え・整列処理を遂行し、回復されたサービスデータをキャッシュし、キャッシュされたサービスデータを帯域幅制御ユニットによって送信される送信制御情報と第2のリンク状態情報とに従って光・電気変換インターフェースへ送信するよう構成され、
サービスデータを回復するため、光・電気変換インターフェースから受信されるサービスデータ電気信号に対し受信処理を遂行し、回復されたサービスデータから第2のリンク状態情報を取得し、回復されたサービスデータをキャッシュし、帯域幅制御ユニットによって送信される遅延情報に従ってキャッシュされたサービスデータを読み取り、読み取られたサービスデータを第1のリンク状態情報に従って第3の電気信号インターフェースへ送信するよう構成される。
【００１７】
第1の態様、または第1の態様の第3の可能な実装を参照し、第7の可能な実装において、光クロスコネクトユニットは、4つの光ファイバインターフェースと、ダイナミック光クロスコネクタと、第3の帯域幅制御インターフェースとを含み、
ダイナミック光クロスコネクタは、1つ以上のサービス処理サブラックから到来するサービスデータ光信号をいずれかの光ファイバインターフェースを用いて受信し、帯域幅制御ユニットによって送信されて第3の帯域幅制御インターフェースを用いて受信される光クロスコネクト制御情報に従って光クロスコネクトを遂行し、クロスコネクトされた光信号をいずれかの光ファイバインターフェースを用いて1つ以上のサービス処理サブラックへ出力するよう構成される。
【００１８】
第1の態様、または第1の態様の第3または第7の可能な実装を参照し、第8の可能な実装において、サービス処理ユニットは動的サービス処理のときに取得したトラフィック情報を帯域幅制御ユニットへ送信し、
帯域幅制御ユニットは、動的サービス処理のときに、サービス設定情報を取得しトラフィック情報を受信し、サービス設定情報とトラフィック情報とに従って各インターフェース適応ユニットと各光クロスコネクトユニットとの間に必要な光接続帯域幅を判断し、各インターフェース適応ユニットと各光クロスコネクトユニットとの間に必要な判断した光接続帯域幅に従って切り替え制御情報と適応制御情報と光クロスコネクト制御情報とを生成し、切り替え制御情報と適応制御情報と光クロスコネクト制御情報とを電気的切り替えユニットとインターフェース適応ユニットと光クロスコネクトユニットとへそれぞれ送信するよう構成され、および／または、
静的サービス処理のときに、サービス設定情報を取得し、サービス設定情報に従って各インターフェース適応ユニットと各光クロスコネクトユニットとの間に必要な光接続帯域幅を判断し、各インターフェース適応ユニットと各光クロスコネクトユニットとの間に必要な判断した光接続帯域幅に従って切り替え制御情報と適応制御情報と光クロスコネクト制御情報とを生成し、切り替え制御情報と適応制御情報と光クロスコネクト制御情報とを電気的切り替えユニットとインターフェース適応ユニットと光クロスコネクトユニットとへそれぞれ送信するよう構成される。
【００１９】
第1の態様、または第1の態様の第3、第7、または第8の可能な実装を参照し、第9の可能な実装において、帯域幅制御ユニットは、第1のトラフィック情報受信インターフェースと、第1の設定インターフェースと、第1のサービス帯域幅コントローラと、第4の帯域幅制御インターフェースとを含み、
第1のサービス帯域幅コントローラは、動的サービス処理のときに、第1の設定インターフェースを用いてサービス設定情報を取得し第1のトラフィック情報受信インターフェースを用いてトラフィック情報を受信し、サービス設定情報とトラフィック情報とに従って各インターフェース適応ユニットと各光クロスコネクトユニットとの間に必要な光接続帯域幅を判断し、各インターフェース適応ユニットと各光クロスコネクトユニットとの間に必要な判断した光接続帯域幅に従って切り替え制御情報と適応制御情報と光クロスコネクト制御情報とを生成し、第4の帯域幅制御インターフェースを用いて切り替え制御情報と適応制御情報と光クロスコネクト制御情報とを電気的切り替えユニットとインターフェース適応ユニットと光クロスコネクトユニットとへそれぞれ送信するよう構成され、および／または、
静的サービス処理のときに、第1の設定インターフェースを用いてサービス設定情報を取得し、サービス設定情報に従って各インターフェース適応ユニットと各光クロスコネクトユニットとの間に必要な光接続帯域幅を判断し、各インターフェース適応ユニットと各光クロスコネクトユニットとの間に必要な判断した光接続帯域幅に従って切り替え制御情報と適応制御情報と光クロスコネクト制御情報とを生成し、第4の帯域幅制御インターフェースを用いて切り替え制御情報と適応制御情報と光クロスコネクト制御情報とを電気的切り替えユニットとインターフェース適応ユニットと光クロスコネクトユニットとへそれぞれ送信するよう構成される。
【００２０】
第1の態様、または第1の態様の第3または第5の可能な実装を参照し、第10の可能な実装において、光クロスコネクトユニットは、4つの光ファイバインターフェースと、スタティック光クロスコネクタとを含み、
スタティック光クロスコネクタは、1つ以上のサービス処理サブラックから到来するサービスデータ光信号をいずれかの光ファイバインターフェースを用いて受信し、スタティック光クロスコネクタの光入力ポートと光出力ポートとの固定接続関係に従って光クロスコネクトを遂行し、クロスコネクトされた光信号をいずれかの光ファイバインターフェースを用いて1つ以上のサービス処理サブラックへ出力するよう構成され、
光・電気変換インターフェースは、第2の帯域幅制御インターフェースを用いて帯域幅制御ユニットから光信号波長調整情報を受信し、光信号波長調整情報に従って光信号送信の波長を判断し、判断した光信号波長に従って適応処理モジュールから受信されるサービスデータ電気信号を光信号に変換し、光クロスコネクトユニット内にあるスタティッククロスコネクタへ光信号を送信するよう構成され、または光クロスコネクトユニット内にあるスタティック光クロスコネクタから受信されるサービスデータ光信号を電気信号に変換し、電気信号を適応処理モジュールへ送信するよう構成される。
【００２１】
第1の態様、または第1の態様の第10の可能な実装を参照し、第11の可能な実装において、サービス処理ユニットは動的サービス処理のときに取得したトラフィック情報を帯域幅制御ユニットへ送信し、
帯域幅制御ユニットは、動的サービス処理のときに、サービス設定情報を取得しトラフィック情報を受信し、サービス設定情報とトラフィック情報とに従って各インターフェース適応ユニットと各光クロスコネクトユニットとの間に必要な光接続帯域幅を判断し、各インターフェース適応ユニットと各光クロスコネクトユニットとの間に必要な判断した光接続帯域幅に従って切り替え制御情報と適応制御情報と光信号波長調整情報とを生成し、電気的切り替えユニットへ切り替え制御情報を送信し、インターフェース適応ユニットへ適応制御情報と光信号波長調整情報とを送信するよう構成され、および／または、
静的サービス処理のときに、サービス設定情報を取得し、サービス設定情報に従って各インターフェース適応ユニットと各光クロスコネクトユニットとの間に必要な光接続帯域幅を判断し、各インターフェース適応ユニットと各光クロスコネクトユニットとの間に必要な判断した光接続帯域幅に従って切り替え制御情報と適応制御情報と光信号波長調整情報とを生成し、電気的切り替えユニットへ切り替え制御情報を送信し、インターフェース適応ユニットへ適応制御情報と光信号波長調整情報とを送信するよう構成される。
【００２２】
第1の態様、または第1の態様の第11の可能な実装を参照し、第12の可能な実装において、帯域幅制御ユニットは、第2のトラフィック情報受信インターフェースと、第2の設定インターフェースと、第2のサービス帯域幅コントローラと、第5の帯域幅制御インターフェースとを含み、
第2のサービス帯域幅コントローラは、動的サービス処理のときに、第2の設定インターフェースを用いてサービス設定情報を取得し第2のトラフィック情報受信インターフェースを用いてトラフィック情報を受信し、サービス設定情報とトラフィック情報とに従って各インターフェース適応ユニットと各光クロスコネクトユニットとの間に必要な光接続帯域幅を判断し、各インターフェース適応ユニットと各光クロスコネクトユニットとの間に必要な判断した光接続帯域幅に従って切り替え制御情報と適応制御情報と光信号波長調整情報とを生成し、第5の帯域幅制御インターフェースを用いて電気的切り替えユニットへ切り替え制御情報を送信し、インターフェース適応ユニットへ適応制御情報と光信号波長調整情報とを送信するよう構成され、および／または、
静的サービス処理のときに、第2の設定インターフェースを用いてサービス設定情報を取得し、サービス設定情報に従って各インターフェース適応ユニットと各光クロスコネクトユニットとの間に必要な光接続帯域幅を判断し、各インターフェース適応ユニットと各光クロスコネクトユニットとの間に必要な判断した光接続帯域幅に従って切り替え制御情報と適応制御情報と光信号波長調整情報とを生成し、第5の帯域幅制御インターフェースを用いて電気的切り替えユニットへ切り替え制御情報を送信し、インターフェース適応ユニットへ適応制御情報と光信号波長調整情報とを送信するよう構成される。
【００２３】
第1の態様、第1の態様の第8の可能な実装、または第1の態様の第11の可能な実装を参照し、第13の可能な実装において、サービス処理ユニットは、サービスインターフェースと、サービス処理モジュールと、第4の電気信号インターフェースと、トラフィック収集インターフェースとを含み、
サービス処理モジュールは、外部から入力されるサービスデータ電気信号をサービスインターフェースを用いて受信し、サービス処理を遂行し、処理されたサービスデータ電気信号を第4の信号インターフェースを用いて電気的切り替えユニットへ送信するよう構成され、または、電気的切り替えユニットによって送信されるサービスデータ電気信号を第4の信号インターフェースを用いて受信し、サービス処理を遂行し、処理されたサービスデータ電気信号をサービスインターフェースを用いて外部へ送信するよう構成され、動的サービス処理過程でサービスデータのトラフィック情報を収集し、トラフィック収集インターフェースを用いて帯域幅制御ユニットへトラフィック情報を送信するよう構成される。
【００２４】
第1の態様、または第1の態様の第1、第8、第9、第11、または第12の可能な実装を参照し、第14の可能な実装において、帯域幅制御ユニットは、サービス処理サブラックか光クロスコネクトサブラックから独立した装置であり、あるいはサービス処理サブラックか光クロスコネクトサブラックに組み込まれる。
【００２５】
第1の態様、または第1の態様の第2の可能な実装を参照し、第15の可能な実装において、サービス処理ユニット、電気的切り替えユニット、およびインターフェース適応ユニットの内いずれか2つまたは3つは、1枚の基板に組み込まれる。
【００２６】
第2の態様によると、本発明の一実施形態は、サービス切り替えシステムに応用されるサービス切り替え方法を提供し、該サービス切り替え方法は、
サービス処理サブラックにより、外部から入力されるサービスデータ電気信号のサービス切り替えを遂行し、サービス切り替え済みサービスデータ電気信号を光信号に変換し、1つ以上の光クロスコネクトサブラックへ光信号を送信する、ステップと、
光クロスコネクトサブラックにより、1つ以上のサービス処理サブラックから到来するサービスデータ光信号を受信し、受信した光信号の光クロスコネクトを遂行し、クロスコネクト済み光信号を1つ以上のサービス処理サブラックへ出力する、ステップと、
サービス処理サブラックにより、1つ以上の光クロスコネクトサブラックから到来するサービスデータ光信号を受信し、光信号を電気信号に変換し、サービス切り替えを遂行し、サービス切り替え済みサービスデータ電気信号を出力する、ステップと
を含む。
【００２７】
第2の態様を参照し、第1の可能な実装において、サービス切り替えシステムは帯域幅制御ユニットをさらに含み、それぞれのサービス処理サブラックは帯域幅制御ユニットへ接続され、
帯域幅制御ユニットは、サービス処理サブラックが様々なサービスのサービス切り替えを遂行するときに、サービス処理サブラックのために帯域幅制御を遂行する。
【００２８】
第2の態様、または第2の態様の第1の可能な実装を参照し、第2の可能な実装において、サービス処理サブラックは、少なくとも1つのサービス処理ユニットと、少なくとも1つの電気的切り替えユニットと、少なくとも1つのインターフェース適応ユニットとを含み、
サービス処理サブラックにより、外部から入力されるサービスデータ電気信号のサービス切り替えを遂行し、サービス切り替え済みサービスデータ電気信号を光信号に変換し、1つ以上の光クロスコネクトサブラックへ光信号を送信する、ステップは、
サービス処理ユニットにより、外部から入力されるサービスデータ電気信号を受信し、サービス処理を遂行し、サービス処理済みサービスデータ電気信号を電気的切り替えユニットへ送信する、ステップと、
電気的切り替えユニットにより、サービス処理ユニットによって送信されるサービスデータ電気信号を受信し、帯域幅制御ユニットによって送信される切り替え制御情報に従ってサービス切り替えを遂行し、サービス切り替え済みサービスデータ電気信号をインターフェース適応ユニットへ送信する、ステップと、
インターフェース適応ユニットにより、電気的切り替えユニットによって送信されるサービスデータ電気信号を受信し、帯域幅制御ユニットによって送信される適応制御情報に従ってサービスデータを電気信号から光信号に変換し、光信号を光クロスコネクトサブラックへ送信する、ステップと
を含み、
サービス処理サブラックにより、1つ以上の光クロスコネクトサブラックから到来するサービスデータ光信号を受信し、光信号を電気信号に変換し、サービス切り替えを遂行し、サービス切り替え済みサービスデータ電気信号を出力する、ステップは、
インターフェース適応ユニットにより、光クロスコネクトサブラックによって送信されるサービスデータ光信号を受信し、帯域幅制御ユニットによって送信される適応制御情報に従ってサービスデータを光信号から電気信号に変換し、電気信号を電気的切り替えユニットへ送信する、ステップと、
電気的切り替えユニットにより、インターフェース適応ユニットからサービスデータ電気信号を受信し、帯域幅制御ユニットによって送信される切り替え制御情報に従ってサービス切り替えを遂行し、サービス切り替え済みサービスデータ電気信号をサービス処理ユニットへ送信する、ステップと、
サービス処理ユニットにより、電気的切り替えユニットによって送信されるサービス切り替え済みサービスデータ電気信号を受信し処理し、処理されたサービスデータ電気信号を出力する、ステップと
を含む。
【００２９】
第2の態様、または第2の態様の第2の可能な実装を参照し、第3の可能な実装において、光クロスコネクトサブラックは少なくとも1つの光クロスコネクトユニットを含み、
光クロスコネクトサブラックにより、1つ以上のサービス処理サブラックから到来するサービスデータ光信号を受信し、受信した光信号の光クロスコネクトを遂行し、クロスコネクト済み光信号を1つ以上のサービス処理サブラックへ出力する、ステップは、
光クロスコネクトユニットにより、1つ以上のサービス処理サブラックから到来するサービスデータ光信号を受信し、受信した光信号の光クロスコネクトを遂行し、クロスコネクト済み光信号を1つ以上のサービス処理サブラックへ出力する、ステップを含む。
【００３０】
第2の態様、または第2の態様の第3の可能な実装を参照し、第4の可能な実装において、インターフェース適応ユニットにより、電気的切り替えユニットによって送信されるサービスデータ電気信号を受信し、帯域幅制御ユニットによって送信される適応制御情報に従ってサービスデータを電気信号から光信号に変換し、光信号を光クロスコネクトサブラックへ送信する、ステップは、
インターフェース適応ユニットにより、電気的切り替えユニットによって送信されるサービスデータ電気信号を受信し、サービスデータを回復するため受信処理を遂行し、回復されたサービスデータから第1のリンク状態情報を取得し、回復されたサービスデータに対し並べ替え・整列処理を遂行し、回復されたサービスデータをキャッシュし、キャッシュされたサービスデータをサービスデータ光信号に変換し帯域幅制御ユニットによって送信される送信制御情報と第2のリンク状態情報とに従って光クロスコネクトサブラック内にある光クロスコネクトユニットへ光信号を送信する、ステップを含み、
インターフェース適応ユニットにより、光クロスコネクトサブラックによって送信されるサービスデータ光信号を受信し、帯域幅制御ユニットによって送信される適応制御情報に従ってサービスデータを光信号から電気信号に変換し、電気信号を電気的切り替えユニットへ送信する、ステップは、
インターフェース適応ユニットにより、光クロスコネクトサブラック内にある光クロスコネクトユニットによって送信されるサービスデータ光信号を受信し、光信号を電気信号に変換し、サービスデータを回復するため受信処理を遂行し、回復されたサービスデータから第2のリンク状態情報を取得し、回復されたサービスデータをキャッシュし、帯域幅制御ユニットによって送信される遅延情報に従ってキャッシュされたサービスデータを読み取り、読み取られたサービスデータを第1のリンク状態情報に従って電気的切り替えユニットへ送信する、ステップを含む。
【００３１】
第2の態様、または第2の態様の第3の可能な実装を参照し、第5の可能な実装において、サービス処理ユニットは動的サービス処理のときに取得したトラフィック情報を帯域幅制御ユニットへ送信し、
光クロスコネクトユニットがダイナミック光クロスコネクタを含む場合、帯域幅制御ユニットは、動的サービス処理のときに、サービス設定情報とトラフィック情報とに従って各インターフェース適応ユニットと各光クロスコネクトユニットとの間に必要な光接続帯域幅を判断し、各インターフェース適応ユニットと各光クロスコネクトユニットとの間に必要な判断した光接続帯域幅に従って切り替え制御情報と適応制御情報と光クロスコネクト制御情報とを生成し、切り替え制御情報と適応制御情報と光クロスコネクト制御情報とを電気的切り替えユニットとインターフェース適応ユニットと光クロスコネクトユニット内のダイナミック光クロスコネクタとへそれぞれ送信し、および／または、静的サービス処理のときに、サービス設定情報を取得し、サービス設定に従って各インターフェース適応ユニットと各光クロスコネクトユニットとの間に必要な光接続帯域幅を判断し、各インターフェース適応ユニットと各光クロスコネクトユニットとの間に必要な判断した光接続帯域幅に従って切り替え制御情報と適応制御情報と光クロスコネクト制御情報とを生成し、切り替え制御情報と適応制御情報と光クロスコネクト制御情報とを電気的切り替えユニットとインターフェース適応ユニットと光クロスコネクトユニットとへそれぞれ送信する。
【００３２】
第2の態様、または第2の態様の第3の可能な実装を参照し、第6の可能な実装において、サービス処理ユニットは動的サービス処理のときに取得したトラフィック情報を帯域幅制御ユニットへ送信し、
光クロスコネクトユニットがスタティック光クロスコネクタを含む場合、帯域幅制御ユニットは、動的サービス処理のときに、サービス設定情報とトラフィック情報とに従って各インターフェース適応ユニットと各光クロスコネクトユニットとの間に必要な光接続帯域幅を判断し、各インターフェース適応ユニットと各光クロスコネクトユニットとの間に必要な判断した光接続帯域幅に従って切り替え制御情報と適応制御情報と光信号波長調整情報とを生成し、電気的切り替えユニットへ切り替え制御情報を送信し、インターフェース適応ユニットへ適応制御情報と光信号波長調整情報とを送信し、および／または、
静的サービス処理のときに、サービス設定情報を取得し、サービス設定情報に従って各インターフェース適応ユニットと各光クロスコネクトユニットとの間に必要な光接続帯域幅を判断し、各インターフェース適応ユニットと各光クロスコネクトユニットとの間に必要な判断した光接続帯域幅に従って切り替え制御情報と適応制御情報と光信号波長調整情報とを生成し、電気的切り替えユニットへ切り替え制御情報を送信し、インターフェース適応ユニットへ適応制御情報と光信号波長調整情報とを送信する。
【００３３】
第2の態様、または第2の態様の第6の可能な実装を参照し、第7の可能な実装において、インターフェース適応ユニットは、帯域幅制御ユニットによって送信される光信号波長調整情報を受信し、光信号波長調整情報に従って光信号送信の波長を判断し、判断した光信号波長に従って電気的切り替えユニットから受信されるサービスデータ電気信号を光信号に変換し、光クロスコネクトユニット内にあるスタティッククロスコネクタへ光信号を送信する。
【００３４】
第2の態様、または第2の態様の第5または第6の可能な実装を参照し、第8の可能な実装において、サービス設定情報は、光接続帯域幅割り当て方針情報と、静的サービス接続情報と、静的サービス帯域幅情報とを含み、
帯域幅制御ユニットにより、サービス設定情報とトラフィック情報とに従って切り替え制御情報と適応制御情報とを生成するステップは、
光接続帯域幅割り当て方針情報と静的サービス接続情報と静的サービス帯域幅情報とに従って静的サービスのための帯域幅割り当てを遂行し、光接続帯域幅割り当て方針情報とトラフィック情報から取得される動的サービス接続情報とに従って動的サービスのための帯域幅割り当てを遂行する、ステップと、
インターフェース適応ユニット間に必要な光接続帯域幅を計算し、各インターフェース適応ユニットと各光クロスコネクトユニットとの間に必要な光接続帯域幅を判断する、ステップと、
各インターフェース適応ユニットと各光クロスコネクトユニットとの間に必要な判断した光接続帯域幅に従って切り替え制御情報と適応制御情報とを生成するステップと
を含む。
【００３５】
第2の態様、または第2の態様の第5または第6の可能な実装を参照し、第9の可能な実装において、該方法は各サービス処理サブラックと各光クロスコネクトサブラックとの間の追加帯域幅を予め設定するステップをさらに含み、
光クロスコネクトユニットが接続調整を遂行する前に、帯域幅制御ユニットにより、調整されるべきリンク上のサービスデータを追加帯域幅によって成立する冗長リンクに切り替えるため、調整されるべきリンク上で適応制御情報をインターフェース適応ユニットへ送信し、光クロスコネクトユニットが接続調整を完了した後に、冗長リンク上のサービスデータを調整済みのリンクに切り替えて戻すため、調整済みのリンク上で適応制御情報をインターフェース適応ユニットへ再度送信する、ステップを含み、または、
光クロスコネクトユニットが接続調整を遂行する前に、調整されるべきリンクにおけるインターフェース適応ユニットのサービスデータ送信を止めるため、電気的切り替えユニットによってインターフェース適応ユニットへ送信されるサービスデータをインターフェース適応ユニットにキャッシュするため、調整されるべきリンク上で適応制御情報をインターフェース適応ユニットへ送信し、光クロスコネクトユニットが接続調整を完了した後に、インターフェース適応ユニットのサービスデータ送信を再開するため、追加帯域幅によって成立する冗長リンクを使ってキャッシュされたサービスデータを放出するため、調整済みのリンク上で適応制御情報をインターフェース適応ユニットへ再度送信する、ステップを含む。
【００３６】
本発明の実施形態で提供されるサービス切り替えシステムとサービス切り替え方法では、異なるサービス処理サブラック間の相互接続を実現するため、先行技術で使われている電気的切り替えサブラックの代わりに光クロスコネクトサブラックが使われることが、前述した技術的解決手段から分かる。このため、先行技術におけるサブラック間接続過程における2回の電気・光変換と2回の光・電気変換は、1回の電気・光変換と1回の光・電気変換に低減される。したがって、サブラック間接続のための光モジュールの数量が低減され、システムのコストとシステムの消費電力が低減され、換言すれば、サービス切り替えシステムの相互接続コストが低減される。
【００３７】
加えて、光クロスコネクトサブラックはサービス処理サブラック間の光信号のレートとは無関係に作動できる。したがって、サービス処理サブラック間の相互接続レートが増加する場合でも、既存の光クロスコネクトサブラックを引き続き使用でき、同時にアップグレードせずにすむ。先行技術に比べてアップグレードのプロセスが簡素化され、システムのアップグレードコストが低減される。
【００３８】
また、サービス切り替えのたびに2回の光・電気変換と2回の電気・光変換と1回の電気的切り替えというコストを要する先行技術と違って、本発明の実施形態で提供されるサービス切り替えシステムでは、サービス処理サブラック間の相互接続に光クロスコネクトサブラックが使われるため、1回の光・電気変換と1回の電気・光変換だけですむ。したがって、システムでサポートできる合計帯域幅が必要合計アクセス帯域幅以上なら、システム全体でサービスが途絶することはない。
【００３９】
さらに、いくつかの具体的実施形態ではサービス切り替えシステムのために追加帯域幅が設定されてよい。この場合は、光クロスコネクトと電気的切り替えの同時制御と帯域幅割り当てによって途絶しないシステムサービス切り替えをさらに保証できる。これは、既存のサービスが光クロスコネクト調整のときに障害を被らないことを保証する。
【００４０】
当然ながら、本発明のいずれかの製品または方法の一実装が、必ずしも上述した全ての利点をもれなく具備するわけではない。
【００４１】
本発明の実施形態の技術的解決手段や先行技術の技術的解決手段をより明確に説明するため、これ以降は実施形態や先行技術の説明に必要な添付の図面を簡潔に説明する。当然ながら、ここで説明する添付の図面は本発明のいくつかの実施形態を示すに過ぎず、当業者なら創造的な取り組みをせずとも添付の図面をもとにして別の図面を作り出すことができる。
【図面の簡単な説明】
【００４２】
【図１】先行技術における電気的クラスタ技術に基づくサービス切り替えシステムの物理的アーキテクチャの概略図である。
【図２】図1に示されたサービス切り替えシステムにおけるサブラック間接続構造の概略図である。
【図３ａ】本発明の一実施形態によるサービス切り替えシステムの実施形態1の第1の概略構造図である。
【図３ｂ】本発明の一実施形態によるサービス切り替えシステムの実施形態1の第2の概略構造図である。
【図４】本発明の一実施形態によるサービス切り替えシステムの実施形態2の概略構造図である。
【図５】図4に示されたサービス切り替えシステムにおける電気的切り替えユニットの概略構造図である。
【図６】図4に示されたサービス切り替えシステムにおけるインターフェース適応ユニットの概略構造図である。
【図７】図6に示されたインターフェース適応ユニットにおける適応処理モジュールの論理的構造の概略図である。
【図８】図4に示されたサービス切り替えシステムにおける光クロスコネクトユニットの概略構造図である。
【図９】図8に示された光クロスコネクトユニットにおけるダイナミック光クロスコネクタの論理的構造の概略図である。
【図１０】図4に示されたサービス切り替えシステムにおけるサービス処理ユニットの概略構造図である。
【図１１】図4に示されたサービス切り替えシステムにおける帯域幅制御ユニットの概略構造図である。
【図１２】本発明の一実施形態によるサービス切り替えシステムの第3の実施形態の概略構造図である。
【図１３】図12に示されたサービス切り替えシステムにおける光クロスコネクトユニットの概略構造図である。
【図１４】図13に示された光クロスコネクトユニットにおけるスタティック光クロスコネクタの論理的構造の概略図である。
【図１５】図12に示されたサービス切り替えシステムにおける帯域幅制御ユニットの概略構造図である。
【図１６ａ】本発明の一実施形態によるサービス切り替え方法の流れ図である。
【図１６ｂ】本発明の一実施形態によるサービス切り替え方法の別の流れ図である。
【発明を実施するための形態】
【００４３】
これ以降は本発明の実施形態の添付の図面を参照しながら本発明の実施形態の技術的解決手段を明瞭かつ完全に説明する。当然ながら、説明する実施形態は本発明の実施形態の全てではなく一部に過ぎない。本発明の実施形態をもとにして当業者が創造的な取り組みをせずに考案する他の実施形態はいずれも本発明の保護範囲内に入る。
【００４４】
本発明の実施形態はサービス切り替えシステムとサービス切り替え方法とを提供する。このサービス切り替えシステムでは、サービス切り替えシステムの相互接続コストを減らすため、先行技術で使われている電気的切り替え技術の代わりに光クロスコネクト技術が使われる。
【００４５】
これ以降は本発明の実施形態で提供されるサービス切り替えシステムの具体的実施形態を詳述する。
【００４６】
具体的実施形態1
図3aに見られるように、本発明の具体的実施形態1のサービス切り替えシステムは複数のサービス処理サブラック300aと複数の光クロスコネクトサブラック310aとを含む。
【００４７】
それぞれのサービス処理サブラック300aは光ファイバを用いてそれぞれの光クロスコネクトサブラック310aへ接続される。
【００４８】
それぞれのサービス処理サブラック300aは、外部から入力されるサービスデータ電気信号のサービス切り替えを遂行し、サービス切り替え済みサービスデータ電気信号を光信号に変換し、1つ以上の光クロスコネクトサブラック310aへ光信号を送信するよう構成され、および／または、1つ以上の光クロスコネクトサブラック310aから到来するサービスデータ光信号を受信し、光信号を電気信号に変換し、サービス切り替えを遂行し、サービス切り替え済みサービスデータ電気信号を外部へ出力するよう構成される。
【００４９】
それぞれの光クロスコネクトサブラック310aは、1つ以上のサービス処理サブラック300aから到来するサービスデータ光信号を受信し、受信した光信号の光クロスコネクトを遂行し、クロスコネクト済み光信号を1つ以上のサービス処理サブラック300aへ出力するよう構成される。
【００５０】
尚、図3aに示されたサービス切り替えシステムは、ただ1つの静的サービスのサービス切り替えだけに応用される。このサービス切り替えシステムは既定の設定情報と帯域幅制御情報とに従ってサービス切り替えを遂行する。このため、サービス切り替えシステムが複数の静的サービスと動的サービスでサービス切り替えを実施できるようにし、帯域幅調整を実施できるようにするには、帯域幅制御ユニットをシステムに加えてよい。
【００５１】
図3bには帯域幅制御ユニットが加えられたサービス切り替えシステムが示されている。本発明の具体的実施形態1におけるもう1つのサービス切り替えシステムは、複数のサービス処理サブラック300bと、複数の光クロスコネクトサブラック310bと、帯域幅制御ユニット320とを含む。
【００５２】
それぞれのサービス処理サブラック300bは光ファイバを用いてそれぞれの光クロスコネクトサブラック310bへ接続され、それぞれのサービス処理サブラック300bは帯域幅制御ユニット320へ接続される。
【００５３】
それぞれのサービス処理サブラック300bは、帯域幅制御ユニット320の制御下で外部から入力されるサービスデータ電気信号のサービス切り替えを遂行し、サービス切り替え済みサービスデータ電気信号を光信号に変換し、1つ以上の光クロスコネクトサブラック310bへ光信号を送信するよう構成され、および／または、1つ以上の光クロスコネクトサブラック310bから到来するサービスデータ光信号を受信し、光信号を電気信号に変換し、サービス切り替えを遂行し、サービス切り替え済みサービスデータ電気信号を外部へ出力するよう構成される。
【００５４】
光クロスコネクトサブラック310bは、1つ以上のサービス処理サブラック300bから到来するサービスデータ光信号を受信し、受信した光信号の光クロスコネクトを遂行し、クロスコネクト済み光信号を1つ以上のサービス処理サブラック300bへ出力するよう構成される。
【００５５】
帯域幅制御ユニット320は、サービス処理サブラック300bが様々なサービスのサービス切り替えを実施するときに、サービス処理サブラック300bのために帯域幅制御を遂行するよう構成される。
【００５６】
尚、先行技術と同様に、本発明の本実施形態におけるサービス処理サブラック300aとサービス処理サブラック300bはいずれも、複数サービスの処理と、サービス切り替えと、光・電気変換が可能であり、それぞれの光クロスコネクトサブラック310aとそれぞれの光クロスコネクトサブラック310bは、複数のサービスで光クロスコネクトを遂行できる。したがって、実際の応用でサービス処理サブラック間の相互接続を実現するには、少なくとも2つのサービス処理サブラックと少なくとも1つの光クロスコネクトサブラックがなければならない。
【００５７】
具体的実施形態2
図4に見られるように、本発明の具体的実施形態2におけるサービス切り替えシステムは、複数のサービス処理サブラック400と、複数の光クロスコネクトサブラック410と、帯域幅制御ユニット420とを含む。
【００５８】
それぞれのサービス処理サブラック400は、複数のサービス処理ユニット401と、複数の電気的切り替えユニット402と、複数のインターフェース適応ユニット403とを含む。それぞれの光クロスコネクトサブラック410は複数の光クロスコネクトユニット411を含む。
【００５９】
それぞれのサービス処理サブラック400において、それぞれのサービス処理ユニット401は電気バックプレーンを用いてそれぞれの電気的切り替えユニット402へ接続され、それぞれの電気的切り替えユニット402は電気バックプレーンを用いてそれぞれのインターフェース適応ユニット403へ接続され（図4では図面を簡素にするため、2つの電気的切り替えユニット402が2つのサービス処理ユニット401と2つのインターフェース適応ユニット403とへ接続されるシナリオだけが描かれている）、それぞれのインターフェース適応ユニット403は光ファイバを用いて全光クロスコネクトサブラック410内の全光クロスコネクトユニット411へ接続される。
【００６０】
帯域幅制御ユニット420は全サービス処理サブラック400内の全電気的切り替えユニット402と全インターフェース適応ユニット403とへ接続される。
【００６１】
図4に示されたサービス処理ユニット401は、外部から入力されるサービスデータ電気信号のサービス処理を遂行し、サービス処理済みサービスデータ電気信号を電気的切り替えユニット402へ送信するよう構成され、および／または、電気的切り替えユニット402によって送信されるサービス切り替え済みサービスデータ電気信号を受信し処理し、処理されたサービスデータ電気信号を外部へ出力するよう構成される。
【００６２】
図4に示された電気的切り替えユニット402は、サービス処理ユニット401によって送信されるサービスデータ電気信号を受信し、帯域幅制御ユニット420によって送信される切り替え制御情報に従ってサービス切り替えを遂行し、サービス切り替え済みサービスデータ電気信号をインターフェース適応ユニット403へ送信するよう構成され、および／または、インターフェース適応ユニット403からサービスデータ電気信号を受信し、帯域幅制御ユニット420によって送信される切り替え制御情報に従ってサービス切り替えを遂行し、サービス切り替え済みサービスデータ電気信号をサービス処理ユニット401へ送信するよう構成される。
【００６３】
具体的に説明するため、本実施形態の電気的切り替えユニット402の構造を図5に示すことができる。電気的切り替えユニット402は、第1の電気信号インターフェース501と、電気的切り替えモジュール502と、第2の電気信号インターフェース503と、第1の帯域幅制御インターフェース504とを含む。
【００６４】
電気的切り替えモジュール502は、サービス処理ユニット401によって送信されるサービスデータ電気信号を第1の信号インターフェース501を用いて受信し、帯域幅制御ユニット420によって送信されて第1の帯域幅制御インターフェース504から受信される切り替え制御情報に従ってサービス切り替えを遂行し、第2の電気信号インターフェース503を用いてインターフェース適応ユニット403へサービス切り替え済みサービスデータ電気信号を送信するよう構成され、および／または、インターフェース適応ユニット403によって送信されるサービスデータ電気信号を第2の信号インターフェース503を用いて受信し、帯域幅制御ユニット420によって送信されて第1の帯域幅制御インターフェース504から受信される切り替え制御情報に従ってサービス切り替えを遂行し、第1の電気信号インターフェース501を用いてサービス処理ユニット401へサービス切り替え済みサービスデータ電気信号を送信するよう構成される。実際の応用では、切り替え制御情報は、具体的には、送信元ポート番号と送信先ポート番号とを含んでよい。電気的切り替えモジュール502は送信元ポート番号と送信先ポート番号とに従ってサービス切り替えをダイレクトに遂行する。本実施形態において、電気的切り替えモジュール502は、具体的には、一般的に市販されている切り替えネットワークチップによって実装されてよい。
【００６５】
図4に示されたインターフェース適応ユニット403は、電気的切り替えユニット402によって送信されるサービスデータ電気信号を受信し、帯域幅制御ユニット420によって送信される適応制御情報に従ってサービスデータを電気信号から光信号に変換し、光信号を光クロスコネクトサブラック410へ送信するよう構成され、および／または、光クロスコネクトサブラック410によって送信されるサービスデータ光信号を受信し、帯域幅制御ユニット420によって送信される適応制御情報に従ってサービスデータを光信号から電気信号に変換し、電気信号を電気的切り替えユニット402へ送信するよう構成される。
【００６６】
尚、本実施形態において、サービス処理ユニット401は電気的切り替えユニット402へサービスデータ電気信号を送信する際に、1つ以上の任意の電気的切り替えユニット402を選択して送信を遂行してよい。加えて、電気的切り替えユニット402はインターフェース適応ユニット403へサービスデータ電気信号を送信する際に、1つ以上の任意のインターフェース適応ユニット403を選択して送信を遂行してよい。相応に、サービス処理サブラックが光クロスコネクトサブラックからデータを受信してサービスデータを処理するプロセスも同様である。具体的な選択・送信方法と具体的な選択・送信プロセスは先行技術のそれと同じである。ここでは詳細を説明しない。
【００６７】
具体的に説明するため、本実施形態のインターフェース適応ユニット403の構造を図6に示すことができる。インターフェース適応ユニット403は、第3の電気信号インターフェース601と、適応処理モジュール602と、光・電気変換インターフェース603と、第2の帯域幅制御インターフェース604とを含む。
【００６８】
適応処理モジュール602は、第3の電気信号インターフェース601を用いて電気的切り替えユニット402からサービスデータ電気信号を受信し、帯域幅制御ユニット420によって送信されて第2の帯域幅制御インターフェース604から受信される適応制御情報に従って適応処理を遂行し、適応処理済みサービスデータ電気信号を光・電気変換インターフェース603へ送信するよう構成され、および／または、光・電気変換インターフェース603によって送信されるサービスデータ電気信号を受信し、帯域幅制御ユニット420によって送信されて第2の帯域幅制御インターフェース604から受信される適応制御情報に従って適応処理を遂行し、第3の電気信号インターフェース601を用いて電気的切り替えユニット402へ適応処理済みサービスデータ電気信号を送信するよう構成される。
【００６９】
光・電気変換インターフェース603は、適応処理モジュール602から受信されるサービスデータ電気信号を光信号に変換し、光クロスコネクトサブラック410内の光クロスコネクトユニット411へ光信号を送信するよう構成され、または、光クロスコネクトユニット411から受信されるサービスデータ光信号を電気信号に変換し、適応処理モジュール602へ電気信号を送信するよう構成される。
【００７０】
実際の応用において、適応処理モジュール602は、具体的には、FPGAやASIC等のプログラム可能チップによって実装されてよい。
【００７１】
より具体的に述べると、本実施形態で帯域幅制御ユニット420によって送信される適応制御情報は遅延情報と送信制御情報とを含んでよい。実際の応用において、遅延情報は時間情報であってよく、例えば2ms、3ms、または5msであってよい。あるいは遅延情報は時間を割り出すために使われる情報要素の数量であってもよく、例えば5つの情報要素に等しい遅延時間であってよく、それぞれの情報要素の伝送時間が0．6msなら、5つの情報要素は実際に3msになる。送信制御情報は送信が行われるか否かを指示するために使われる。送信制御情報は、送信が行われるか否かを直接指示するため、0または1であってよい。
【００７２】
この場合、適応処理モジュール602は、具体的には、サービスデータを回復するため、第3の電気信号インターフェース601から受信されるサービスデータ電気信号に対し受信処理を遂行し、回復されたサービスデータから第1のリンク状態情報を取得し、回復されたサービスデータに対し並べ替え・整列処理を遂行し、回復されたサービスデータをキャッシュし、キャッシュされたサービスデータを帯域幅制御ユニット420によって送信される送信制御情報と第2のリンク状態情報とに従って光・電気変換インターフェース603へ送信するよう構成され、
サービスデータを回復するため、光・電気変換インターフェース603から受信されるサービスデータ電気信号に対し受信処理を遂行し、回復されたサービスデータから第2のリンク状態情報を取得し、回復されたサービスデータをキャッシュし、帯域幅制御ユニット420によって送信される遅延情報に従ってキャッシュされたサービスデータを読み取り、読み取られたサービスデータを第1のリンク状態情報に従って第3の電気信号インターフェース601へ送信するよう構成される。
【００７３】
本実施形態における適応処理モジュール602の論理的構造を図7に示すことができる。適応処理モジュール602は、第1の受信処理サブモジュール701と、並べ替え・整列サブモジュール702と、第1のデータキャッシュサブモジュール703と、送信制御サブモジュール704と、第2の受信処理サブモジュール705と、第2のデータキャッシュサブモジュール706と、遅延制御サブモジュール707と、送信処理サブモジュール708と、制御インターフェース709とを含む。
【００７４】
第1の受信処理サブモジュール701は、電気的切り替えユニット402によって送信されるサービスデータ電気信号を第3の電気信号インターフェース601から受信し、サービスデータを回復するため、受信処理を遂行し、回復されたサービスデータから第1のリンク状態情報を取得し、回復されたサービスデータを並べ替え・整列サブモジュール702へ送信し、送信処理サブモジュール708へ第1のリンク状態情報を送信するよう構成される。
【００７５】
並べ替え・整列サブモジュール702は、第1の受信処理サブモジュール701から受信されるサービスデータに対し並べ替え・整列処理を遂行し、処理されたサービスデータをキャッシュするため第1のデータキャッシュサブモジュール703へ送信するよう構成される。
【００７６】
送信制御サブモジュール704は、帯域幅制御ユニット420によって送信される送信制御情報を制御インターフェース709を用いて受信し、第1のデータキャッシュサブモジュール703からサービスデータを読み取り、読み取られたサービスデータを送信制御情報と第2の受信処理サブモジュール705から受信される第2のリンク状態情報とに従って光・電気変換インターフェース603へ送信するよう構成される。
【００７７】
第2の受信処理サブモジュール705は、光・電気変換インターフェース603からサービスデータ電気信号を受信し、サービスデータを回復するため受信処理を遂行し、回復されたサービスデータから第2のリンク状態情報を取得し、回復されたサービスデータをキャッシュするため第2のデータキャッシュサブモジュール706へ送信し、送信制御サブモジュール704へ第2のリンク状態情報を送信するよう構成される。
【００７８】
遅延制御サブモジュール707は、帯域幅制御ユニット420によって送信される遅延情報を制御インターフェース709を用いて受信し、遅延情報に従って第2のデータキャッシュサブモジュール706からサービスデータを読み取り、サービスデータを送信処理サブモジュール708へ送信するよう構成される。
【００７９】
送信処理サブモジュール708は、遅延制御サブモジュール707から受信されるサービスデータを、第1の受信処理サブモジュール701から受信される第1のリンク状態情報に従って、第3の電気信号インターフェース601へ送信するよう構成される。
【００８０】
図4に示された光クロスコネクトサブラック410内の光クロスコネクトユニット411は、1つ以上のサービス処理サブラック400から到来するサービスデータ光信号を受信し、受信した光信号の光クロスコネクトを遂行し、クロスコネクトされた光信号を1つ以上のサービス処理サブラック400へ出力するよう構成される。
【００８１】
実際の応用において、光クロスコネクトユニット411は、ダイナミック光クロスコネクタを使って光クロスコネクトを遂行してよく、あるいはスタティック光クロスコネクタを使って光クロスコネクトを遂行してよい。本実施形態ではダイナミック光クロスコネクタが使われている。具体的に説明するため、本実施形態における光クロスコネクトユニット411の構造を図8に示すことができる。光クロスコネクトユニット411は、4つの光ファイバインターフェース801と、ダイナミック光クロスコネクタ802と、第3の帯域幅制御インターフェース803とを含む。
【００８２】
ダイナミック光クロスコネクタ802は、1つ以上のサービス処理サブラック400内にあるインターフェース適応ユニット403から到来するサービスデータ光信号をいずれかの光ファイバインターフェース801を用いて受信し、帯域幅制御ユニット420によって送信されて第3の帯域幅制御インターフェース801を用いて受信される光クロスコネクト制御情報に従って光クロスコネクトを遂行し、クロスコネクトされた光信号をいずれかの光ファイバインターフェース801を用いて1つ以上のサービス処理サブラック400内にあるインターフェース適応ユニット403へ出力するよう構成される。実際の応用において、光クロスコネクト制御情報は、具体的には、送信元光ポート番号と送信先光ポート番号であってよい。ダイナミック光クロスコネクタ802は送信元光ポート番号と送信先光ポート番号とに従って光クロスコネクトをダイレクトに遂行する。
【００８３】
具体的に説明するため、本実施形態におけるダイナミック光クロスコネクタ802の論理的構造を図9に示す。ダイナミック光クロスコネクタ802は、1つの制御端と、複数の光入力ポートと、複数の光出力ポートとを有する。複数の光入力ポートは複数の光スイッチを用いて複数の光出力ポートへ接続され、制御端はそれぞれの光スイッチへ接続される。制御端は、動的光クロスコネクトを実施するため、帯域幅制御ユニット420から受信される光クロスコネクト制御情報に従ってそれぞれの光スイッチを制御してオンまたはオフにする。
【００８４】
尚、ダイナミック光クロスコネクタとスタティック光クロスコネクタはいずれも、光通信技術で一般的に使われている光クロスコネクトコンポーネントである。図9に示されたダイナミック光クロスコネクタと本明細書で後ほど説明する図14に示されたスタティック光クロスコネクタについては、その論理的構造だけが図示されている。ただし、その物理的構造は様々な形態をとり、本明細書で詳しく説明しない。
【００８５】
図4に見られるように、本実施形態におけるサービス処理ユニット401は動的サービス処理のときに取得したトラフィック情報を帯域幅制御ユニット420へ送信する。
【００８６】
相応に、本実施形態における帯域幅制御ユニット420は、動的サービス処理のときに、サービス設定情報を取得しトラフィック情報を受信し、サービス設定情報とトラフィック情報とに従って各インターフェース適応ユニット403と各光クロスコネクトユニット411との間に必要な光接続帯域幅を判断し、各インターフェース適応ユニット403と各光クロスコネクトユニット411との間に必要な判断した光接続帯域幅に従って切り替え制御情報と適応制御情報と光クロスコネクト制御情報とを生成し、切り替え制御情報と適応制御情報と光クロスコネクト制御情報とを電気的切り替えユニット402とインターフェース適応ユニット403と光クロスコネクトユニット411とへそれぞれ送信するよう構成され、および／または、静的サービス処理のときに、サービス設定情報を取得し、サービス設定に従って各インターフェース適応ユニット403と各光クロスコネクトユニット411との間に必要な光接続帯域幅を判断し、各インターフェース適応ユニット403と各光クロスコネクトユニット411との間に必要な判断した光接続帯域幅に従って切り替え制御情報と適応制御情報と光クロスコネクト制御情報とを生成し、切り替え制御情報と適応制御情報と光クロスコネクト制御情報とを電気的切り替えユニット402とインターフェース適応ユニット403と光クロスコネクトユニット411とへそれぞれ送信するよう構成される。
【００８７】
具体的に説明するため、本実施形態におけるサービス処理ユニット401の構造を図10に示すことができる。サービス処理ユニット401は、サービスインターフェース1001と、サービス処理モジュール1002と、第4の電気信号インターフェース1003と、トラフィック収集インターフェース1004とを含む。
【００８８】
サービス処理モジュール1002は、サービスインターフェース1001を用いてシステムの外部からサービスデータ電気信号を受信し、サービス処理を遂行し、処理されたサービスデータ電気信号を第4の信号インターフェース1003を用いて電気的切り替えユニット402へ送信するよう構成され、または、電気的切り替えユニット402によって送信されるサービスデータ電気信号を第4の信号インターフェース1003を用いて受信し、サービス処理を遂行し、処理されたサービスデータ電気信号をサービスインターフェース1001を用いてシステムの外部へ送信するよう構成され、動的サービス処理過程でサービスデータのトラフィック情報を収集し、トラフィック収集インターフェース1004を用いて帯域幅制御ユニット420へトラフィック情報を送信するよう構成される。実際の応用において、サービス処理モジュール1002は、具体的には、FPGAやASIC等のプログラム可能チップによって実装されてよい。
【００８９】
帯域幅制御ユニット420の構造を図11に示すことができる。帯域幅制御ユニットは、第1のトラフィック情報受信インターフェース1101と、第1の設定インターフェース1102と、第1のサービス帯域幅コントローラ1103と、第4の帯域幅制御インターフェース1104とを含む。
【００９０】
第1のサービス帯域幅コントローラ1103は、動的サービスのときに、第1の設定インターフェース1102を用いてサービス設定情報を取得し第1のトラフィック情報受信インターフェース1101を用いてトラフィック情報を受信し、サービス設定情報とトラフィック情報とに従って各インターフェース適応ユニット403と各光クロスコネクトユニット411との間に必要な光接続帯域幅を判断し、各インターフェース適応ユニット403と各光クロスコネクトユニット411との間に必要な判断した光接続帯域幅に従って切り替え制御情報と適応制御情報と光クロスコネクト制御情報とを生成し、第4の帯域幅制御インターフェース1104を用いて切り替え制御情報と適応制御情報と光クロスコネクト制御情報とを電気的切り替えユニット402とインターフェース適応ユニット403と光クロスコネクトユニット411とへそれぞれ送信するよう構成され、および／または、静的サービスのときに、第1の設定インターフェースを用いてサービス設定情報を取得し、サービス設定情報に従って各インターフェース適応ユニットと各光クロスコネクトユニットとの間に必要な光接続帯域幅を判断し、各インターフェース適応ユニットと各光クロスコネクトユニットとの間に必要な判断した光接続帯域幅に従って切り替え制御情報と適応制御情報と光クロスコネクト制御情報とを生成し、第4の帯域幅制御インターフェースを用いて切り替え制御情報と適応制御情報と光クロスコネクト制御情報とを電気的切り替えユニットとインターフェース適応ユニットと光クロスコネクトユニットとへそれぞれ送信するよう構成される。本実施形態において、第1のサービス帯域幅コントローラ1103はCPUシステムによって実装されてよい。
【００９１】
具体的実施形態3
図12に見られるように、本発明の具体的実施形態3におけるサービス切り替えシステムもまた、図4に示された実施形態と同様に、複数のサービス処理サブラック120と、複数の光クロスコネクトサブラック121と、帯域幅制御ユニット122とを含む。
【００９２】
加えて、サービス処理サブラック120の内部構造と接続関係、サービス処理サブラック120と光クロスコネクトサブラック121との接続関係、ならびに帯域幅制御ユニット122とサービス処理サブラック120との接続関係はいずれも、図4に示された実施形態のそれと同じである。ここでは詳細を繰り返し説明しない。
【００９３】
図4に示された実施形態との違いは、本実施形態では光クロスコネクトユニットにスタティック光クロスコネクタが採用され、帯域幅制御ユニットによってサービス処理サブラック内にあるインターフェース適応ユニットの光・電気変換インターフェースを制御することよって光クロスコネクト制御が実施されることにある。したがって、本実施形態で帯域幅制御ユニット122は光クロスコネクトサブラック121内にある光クロスコネクトユニットへ制御情報を送信する必要がない。
【００９４】
具体的に説明するため、本実施形態における光クロスコネクトユニットを図13に示すことができる。光クロスコネクトユニットは、4つの光ファイバインターフェース1301と、スタティック光クロスコネクタ1302とを含む。
【００９５】
スタティッククロスコネクタ1302は、1つ以上のサービス処理サブラック120から到来するサービスデータ光信号をいずれかの光ファイバインターフェースを用いて受信し、スタティッククロスコネクタ1302の光入力ポートと光出力ポートとの固定接続関係に従って光クロスコネクトを遂行し、クロスコネクトされた光信号をいずれかの光ファイバインターフェースを用いて1つ以上のサービス処理サブラック120へ出力するよう構成される。
【００９６】
相応に、本実施形態におけるインターフェース適応ユニット1203の光・電気変換インターフェースは、第2の帯域幅制御インターフェースを用いて帯域幅制御ユニットから光信号波長調整情報を受信し、光信号波長調整情報に従って光信号送信の波長を判断し、判断した光信号波長に従って適応処理モジュールから受信されるサービスデータ電気信号を光信号に変換し、光クロスコネクトユニット内にあるスタティッククロスコネクタへ光信号を送信するよう構成され、または、光クロスコネクトユニット内にあるスタティッククロスコネクタから受信されるサービスデータ光信号を電気信号に変換し、電気信号を適応処理モジュールへ送信するよう構成される。実際の応用において、光信号波長調整情報は、具体的には、送信元光ポート番号と調整済み波長であってよい。ここでは、調整済み波長によって送信先光ポートが実質的に特定される。
【００９７】
本実施形態では、光波長が異なる信号のクロスコネクトを実施するため、スタティック光クロスコネクタとインターフェース適応ユニットの光・電気変換インターフェースが互いに協働し、帯域幅制御ユニットによって送信される光信号波長調整情報に従って光波長を変えることが分かる。換言すると、本実施形態における光クロスコネクトユニットはそれ自体が静的接続である。したがって、帯域幅制御ユニットによって光クロスコネクトユニットが制御される必要はない。
【００９８】
より具体的に説明するため、本実施形態で使われるスタティック光クロスコネクタの論理的構造を図14に示す。スタティック光クロスコネクタの中にある光入力ポートと光出力ポートは固定的に接続される。入力光信号の波長を調整するため、インターフェース適応ユニットの光・電気変換インターフェースを用いて光クロスコネクト調整が実施される。
【００９９】
本実施形態における帯域幅制御ユニット122は、動的サービス処理のときに、サービス設定情報を取得しトラフィック情報を受信し、サービス設定情報とトラフィック情報とに従って各インターフェース適応ユニット1203と各光クロスコネクトユニット1211との間に必要な光接続帯域幅を判断し、各インターフェース適応ユニット1203と各光クロスコネクトユニット1211との間に必要な判断した光接続帯域幅に従って切り替え制御情報と適応制御情報と光信号波長調整情報とを生成し、電気的切り替えユニット1202へ切り替え制御情報を送信し、インターフェース適応ユニット1203へ適応制御情報と光信号波長調整情報とを送信するよう構成され、および／または、静的サービスのときに、サービス設定情報を取得し、サービス設定情報に従って各インターフェース適応ユニット1203と各光クロスコネクトユニット1211との間に必要な光接続帯域幅を判断し、各インターフェース適応ユニット1203と各光クロスコネクトユニット1211との間に必要な判断した光接続帯域幅に従って切り替え制御情報と適応制御情報と光信号波長調整情報とを生成し、電気的切り替えユニット1202へ切り替え制御情報を送信し、インターフェース適応ユニット1203へ適応制御情報と光信号波長調整情報とを送信するよう構成される。
【０１００】
具体的に説明するため、帯域幅制御ユニット122の構造を図15に示すことができる。帯域幅制御ユニット122は、第2のトラフィック情報受信インターフェース1501と、第2の設定インターフェース1502と、第2のサービス帯域幅コントローラ1503と、第5の帯域幅制御インターフェース1504とを含む。
【０１０１】
第2のサービス帯域幅コントローラ1503は、動的サービスのときに、第2の設定インターフェース1502を用いてサービス設定情報を取得し第2のトラフィック情報受信インターフェース1501を用いてトラフィック情報を受信し、サービス設定情報とトラフィック情報とに従って各インターフェース適応ユニット1203と各光クロスコネクトユニット1211との間に必要な光接続帯域幅を判断し、各インターフェース適応ユニット1203と各光クロスコネクトユニット1211との間に必要な判断した光接続帯域幅に従って切り替え制御情報と適応制御情報と光信号波長調整情報とを生成し、第5の帯域幅制御インターフェース1504を用いて電気的切り替えユニット1202へ切り替え制御情報を送信し、インターフェース適応ユニット1203へ適応制御情報と光信号波長調整情報とを送信するよう構成され、および／または、静的サービスのときに、第2の設定インターフェース1502を用いてサービス設定情報を取得し、サービス設定情報に従って各インターフェース適応ユニット1203と各光クロスコネクトユニット1211との間に必要な光接続帯域幅を判断し、各インターフェース適応ユニット1203と各光クロスコネクトユニット1211との間に必要な判断した光接続帯域幅に従って切り替え制御情報と適応制御情報と光信号波長調整情報とを生成し、第5の帯域幅制御インターフェース1504を用いて電気的切り替えユニット1202へ切り替え制御情報を送信し、インターフェース適応ユニット1203へ適応制御情報と光信号波長調整情報とを送信するよう構成される。
【０１０２】
当業者なら、実際の応用において、サービス切り替えシステム内の帯域幅制御ユニットがサービス処理サブラックか光クロスコネクトサブラックから独立した装置であってよいこと、あるいはサービス処理サブラックか光クロスコネクトサブラックに組み込まれることを理解できる。
【０１０３】
加えて、サービス処理サブラック内にあるサービス処理ユニット、電気的切り替えユニット、およびインターフェース適応ユニットの内いずれか2つまたは3つは、1枚の基板に組み込まれる。
【０１０４】
本発明の実施形態で提供されるサービス切り替えシステムでは、異なるサービス処理サブラック間の相互接続を実現するため、先行技術で使われている電気的切り替えサブラックの代わりに光クロスコネクトサブラックが使われていることが、図3a、図3b、図4、および図12に示された実施形態から分かる。このため、先行技術におけるサブラック間接続過程における2回の電気・光変換と2回の光・電気変換は、1回の電気・光変換と1回の光・電気変換に低減される。したがって、サブラック間接続のための光モジュールの数量が低減され、システムのコストとシステムの消費電力が低減され、換言すれば、サービス切り替えシステムの相互接続コストが低減される。
【０１０５】
加えて、サービス処理サブラック間の光信号のレートは光学的切り替えサブラックのレートと無関係である。したがって、サービス処理サブラック間の相互接続レートが増加する場合でも、既存の光クロスコネクトサブラックを引き続き使用でき、同時にアップグレードせずにすむ。先行技術に比べてアップグレードのプロセスが簡素化され、システムのアップグレードコストが低減される。
【０１０６】
これ以降は本発明の実施形態で提供されるサービス切り替え方法の具体的実施形態を詳述する。
【０１０７】
図16aに見られるように、本発明の具体的実施形態におけるサービス切り替え方法は図3aに示されたサービス切り替えシステムに対応しており、下記ステップを含む。
【０１０８】
ステップ161a：サービス処理サブラックは、外部から入力されるサービスデータ電気信号のサービス切り替えを遂行し、サービス切り替え済みサービスデータ電気信号を光信号に変換し、1つ以上の光クロスコネクトサブラックへ光信号を送信する。
【０１０９】
ステップ162a：光クロスコネクトサブラックは、1つ以上のサービス処理サブラックから到来するサービスデータ光信号を受信し、受信した光信号の光クロスコネクトを遂行し、クロスコネクト済み光信号を1つ以上のサービス処理サブラックへ出力する。
【０１１０】
ステップ163a：サービス処理サブラックは、1つ以上の光クロスコネクトサブラックから到来するサービスデータ光信号を受信し、光信号を電気信号に変換し、サービス切り替えを遂行し、サービス切り替え済みサービスデータ電気信号を外部へ出力する。
【０１１１】
図16bに見られるように、本発明の具体的実施形態におけるサービス切り替え方法は図3bに示されたサービス切り替えシステムに対応しており、下記ステップを含む。
【０１１２】
ステップ161b：サービス処理サブラックは、システムの外部から入力されるサービスデータ電気信号を受信し、帯域幅制御ユニットの制御下でサービス切り替えを遂行し、サービス切り替え済みサービスデータ電気信号を光信号に変換し、光クロスコネクトサブラックへ光信号を送信する。
【０１１３】
ステップ162b：光クロスコネクトサブラックは、1つ以上のサービス処理サブラックから到来するサービスデータ光信号を受信し、受信した光信号の光クロスコネクトを遂行し、クロスコネクト済み光信号を1つ以上のサービス処理サブラックへ出力する。
【０１１４】
ステップ163b：サービス処理サブラックは、光クロスコネクトサブラックからサービスデータ光信号を受信し、帯域幅制御ユニットの制御下で光信号を電気信号に変換し、サービス切り替えを遂行し、サービス切り替え済みサービスデータ電気信号をシステムの外部へ出力する。
【０１１５】
本実施形態で、サービス処理サブラックは、少なくとも1つのサービス処理ユニットと、少なくとも1つの電気的切り替えユニットと、少なくとも1つのインターフェース適応ユニットとを含む。
【０１１６】
ステップ161bは、具体的には、
サービス処理ユニットにより、システムの外部から入力されるサービスデータ電気信号を受信し、サービス処理を遂行し、サービス処理済みサービスデータ電気信号を電気的切り替えユニットへ送信する、ステップと、
電気的切り替えユニットにより、サービス処理ユニットによって送信されるサービスデータ電気信号を受信し、帯域幅制御ユニットによって送信される切り替え制御情報に従ってサービス切り替えを遂行し、サービス切り替え済みサービスデータ電気信号をインターフェース適応ユニットへ送信する、ステップと、
インターフェース適応ユニットにより、電気的切り替えユニットによって送信されるサービスデータ電気信号を受信し、帯域幅制御ユニットによって送信される適応制御情報に従ってサービスデータを電気信号から光信号に変換し、光信号を光クロスコネクトサブラックへ送信する、ステップと
を含んでよい。
【０１１７】
本実施形態におけるステップ163は、具体的には、
インターフェース適応ユニットにより、光クロスコネクトサブラックによって送信されるサービスデータ光信号を受信し、帯域幅制御ユニットによって送信される適応制御情報に従ってサービスデータを光信号から電気信号に変換し、電気信号を電気的切り替えユニットへ送信する、ステップと、
電気的切り替えユニットにより、インターフェース適応ユニットからサービスデータ電気信号を受信し、帯域幅制御ユニットによって送信される切り替え制御情報に従ってサービス切り替えを遂行し、サービス切り替え済みサービスデータ電気信号をサービス処理ユニットへ送信する、ステップと、
サービス処理ユニットにより、電気的切り替えユニットによって送信されるサービス切り替え済みサービスデータ電気信号を受信し処理し、処理されたサービスデータ電気信号をシステムの外部へ出力する、ステップと
を含んでよい。
【０１１８】
本実施形態において、光クロスコネクトサブラックは少なくとも1つの光クロスコネクトユニットを含む。
【０１１９】
ステップ162は、具体的には、光クロスコネクトユニットによって実施されてよい。
【０１２０】
本実施形態において、インターフェース適応ユニットにより、電気的切り替えユニットによって送信されるサービスデータ電気信号を受信し、帯域幅制御ユニットによって送信される適応制御情報に従ってサービスデータを電気信号から光信号に変換し、光信号を光クロスコネクトサブラックへ送信する、ステップは、
インターフェース適応ユニットにより、電気的切り替えユニットによって送信されるサービスデータ電気信号を受信し、サービスデータを回復するため受信処理を遂行し、回復されたサービスデータから第1のリンク状態情報を取得し、回復されたサービスデータに対し並べ替え・整列処理を遂行し、回復されたサービスデータをキャッシュし、キャッシュされたサービスデータをサービスデータ光信号に変換し帯域幅制御ユニットによって送信される送信制御情報と第2のリンク状態情報とに従って光クロスコネクトサブラック内にある光クロスコネクトユニットへ光信号を送信する、ステップを含んでよい。
【０１２１】
本実施形態において、インターフェース適応ユニットにより、光クロスコネクトサブラックによって送信されるサービスデータ光信号を受信し、帯域幅制御ユニットによって送信される適応制御情報に従ってサービスデータを光信号から電気信号に変換し、電気信号を電気的切り替えユニットへ送信する、ステップは、
インターフェース適応ユニットにより、光クロスコネクトサブラック内にある光クロスコネクトユニットによって送信されるサービスデータ光信号を受信し、光信号を電気信号に変換し、サービスデータを回復するため受信処理を遂行し、回復されたサービスデータから第2のリンク状態情報を取得し、回復されたサービスデータをキャッシュし、帯域幅制御ユニットによって送信される遅延情報に従ってキャッシュされたサービスデータを読み取り、読み取られたサービスデータを第1のリンク状態情報に従って電気的切り替えユニットへ送信する、ステップを含んでよい。
【０１２２】
本実施形態におけるサービス処理ユニットは、動的サービス処理のときに取得したトラフィック情報を帯域幅制御ユニットへ送信する。
【０１２３】
光クロスコネクトユニットがダイナミック光クロスコネクタを含む場合、帯域幅制御ユニットは、動的サービス処理のときに、サービス設定情報とトラフィック情報とに従って各インターフェース適応ユニットと各光クロスコネクトユニットとの間に必要な光接続帯域幅を判断し、各インターフェース適応ユニットと各光クロスコネクトユニットとの間に必要な判断した光接続帯域幅に従って切り替え制御情報と適応制御情報と光クロスコネクト制御情報とを生成し、切り替え制御情報と適応制御情報と光クロスコネクト制御情報とを電気的切り替えユニットとインターフェース適応ユニットと光クロスコネクトユニット内のダイナミック光クロスコネクタとへそれぞれ送信し、および／または、静的サービス処理のときに、サービス設定情報を取得し、サービス設定に従って各インターフェース適応ユニットと各光クロスコネクトユニットとの間に必要な光接続帯域幅を判断し、各インターフェース適応ユニットと各光クロスコネクトユニットとの間に必要な判断した光接続帯域幅に従って切り替え制御情報と適応制御情報と光クロスコネクト制御情報とを生成し、切り替え制御情報と適応制御情報と光クロスコネクト制御情報とを電気的切り替えユニットとインターフェース適応ユニットと光クロスコネクトユニットとへそれぞれ送信する。詳細については前述した具体的実施形態2の説明を参照されたい。
【０１２４】
光クロスコネクトユニットがスタティック光クロスコネクタを含む場合、帯域幅制御ユニットは、動的サービス処理のときに、サービス設定情報とトラフィック情報とに従って各インターフェース適応ユニットと各光クロスコネクトユニットとの間に必要な光接続帯域幅を判断し、各インターフェース適応ユニットと各光クロスコネクトユニットとの間に必要な判断した光接続帯域幅に従って切り替え制御情報と適応制御情報と光信号波長調整情報とを生成し、電気的切り替えユニットへ切り替え制御情報を送信し、インターフェース適応ユニットへ適応制御情報と光信号波長調整情報とを送信し、および／または、静的サービスのときに、サービス設定情報を取得し、サービス設定情報に従って各インターフェース適応ユニットと各光クロスコネクトユニットとの間に必要な光接続帯域幅を判断し、各インターフェース適応ユニットと各光クロスコネクトユニットとの間に必要な判断した光接続帯域幅に従って切り替え制御情報と適応制御情報と光信号波長調整情報とを生成し、電気的切り替えユニットへ切り替え制御情報を送信し、インターフェース適応ユニットへ適応制御情報と光信号波長調整情報とを送信する。詳細については前述した具体的実施形態3の説明を参照されたい。
【０１２５】
この場合、インターフェース適応ユニットは、帯域幅制御ユニットによって送信される光信号波長調整情報を受信した後に、光信号波長調整情報に従って光信号送信の波長を判断し、判断した光信号波長に従って電気的切り替えユニットから受信されるサービスデータ電気信号を光信号に変換し、光クロスコネクトユニット内にあるスタティッククロスコネクタへ光信号を送信する。
【０１２６】
本実施形態におけるサービス設定情報は外部入力から取得されてよく、具体的には、光接続帯域幅割り当て方針情報と、静的サービス接続情報と、静的サービス帯域幅情報とを含んでよい。
【０１２７】
この場合、帯域幅制御ユニットは、光接続帯域幅割り当て方針情報と静的サービス接続情報と静的サービス帯域幅情報とに従って静的サービスのための帯域幅割り当てを遂行し、光接続帯域幅割り当て方針情報とトラフィック情報から取得される動的サービス接続情報とに従って動的サービスのための帯域幅割り当てを遂行し、
インターフェース適応ユニット間に必要な光接続帯域幅を計算し、各インターフェース適応ユニットと各光クロスコネクトユニットとの間に必要な光接続帯域幅を判断し、
各インターフェース適応ユニットと各光クロスコネクトユニットとの間に必要な判断した光接続帯域幅に従って切り替え制御情報と適応制御情報とを生成する。
【０１２８】
一般的に、サービス切り替えシステムは静的サービスと動的サービスの両方をサポートできなければならない。したがって、設定情報は静的サービス接続情報と静的サービス帯域幅情報とを含む必要がある。言うまでもなく、動的サービスのサポートだけが必要ならば、静的サービス接続情報と静的サービス帯域幅情報は含まれなくてよい。相応に、静的サービスのサポートだけが必要で動的サービスのサポートが必要でないなら、帯域幅制御ユニットはサービス処理ユニットからトラフィック情報を受信する必要はない。
【０１２９】
尚、先行技術のサービス処理サブラックには前述した帯域幅割り当て機能等の帯域幅制御機能が通常組み込まれる。当業者なら、本発明の本実施形態における帯域幅制御ユニットが帯域幅制御機能を実施する場合に、先行技術における帯域幅制御機能を実施する方法を参照できることを理解できる。
【０１３０】
加えて、本発明の本実施形態では、途絶しないシステムサービスをさらに保証するため、各サービス処理サブラックと各光クロスコネクトサブラックとの間に追加帯域幅が予め設定されてよい。
【０１３１】
実のところ、途絶しないシステムサービスはインターフェース適応ユニットと光クロスコネクトユニットとの間の相互接続帯域幅に左右される。光クロスコネクトユニットによってスケジュールされるサービス処理ユニットのアクセスサービス帯域幅がそれぞれM1、M2、．．．、Ma（aはサービスがアクセスする必要があるインターフェース適応ユニットの数）であると仮定すると、必要な合計アクセス帯域幅はΣMである。インターフェース適応ユニットと光クロスコネクトユニットとの間でサポートできる相互接続帯域幅がK1、K2、．．．、Kb（bはシステムに含まれるインターフェース適応ユニットの数）であるなら、システムでサポートできる合計相互接続帯域幅はΣKである。
【０１３２】
光クロスコネクトユニットを介して相互に作用する2つのインターフェース適応ユニット間の光接続帯域幅はKnmであり、nは送信元インターフェース適応ユニットの数であり、mは送信先インターフェース適応ユニットの数である。この場合に全てのインターフェース適応ユニットで途絶しないサービスを実現するには、M1≦ΣK1m≦K1、M2≦ΣK2m≦K2、．．．が成立するだけよい。システムでサポートできる合計帯域幅が必要合計アクセス帯域幅以上であるなら、すなわちΣK≧ΣKnm≧ΣMが成立するなら、途絶しないシステムサービスを実現できることが分かる。
【０１３３】
本実施形態ではインターフェース適応ユニットと光クロスコネクトユニットとの間で追加帯域幅が設定される。追加帯域幅をΔMと仮定する。ならばΣK≧ΣM＋ΔMである。
【０１３４】
追加帯域幅は以下に記す2通りの様態で実現されてよい。
【０１３５】
一方の様態では、サービス処理ユニットと光クロスコネクトユニットとの間の接続リンクで各サービス経路の伝送速度を増やす。他方の様態では、サービス処理ユニットと光クロスコネクトユニットとの間の接続リンクでサービス経路を増やす。当業者なら、サービス経路の伝送速度を増やす具体的方法とサービス経路を増やす具体的方法を先行技術の方法を参照して実施できることを理解できる。
【０１３６】
この場合は、追加帯域幅と、サービス帯域幅制御ユニットによる光クロスコネクトユニット、インターフェース適応ユニット、および電気的切り替えユニットの同時制御により、既存のサービスは光クロスコネクト調整のときに障害を被らない。
【０１３７】
具体的に述べると、帯域幅制御ユニットは、光クロスコネクトユニットが接続調整を遂行する前に、調整されるべきリンク上のサービスデータを追加帯域幅によって成立する冗長リンクに切り替えるため、調整されるべきリンク上で適応制御情報をインターフェース適応ユニットへ送信してよく、光クロスコネクトユニットが接続調整を完了した後に、サービスデータを冗長リンクから調整済みのリンクに切り替えて戻すため、調整済みのリンク上で適応制御情報をインターフェース適応ユニットへ再度送信してよく、または、
光クロスコネクトユニットが接続調整を遂行する前に、調整されるべきリンクにおけるインターフェース適応ユニットのサービスデータ送信を止めるため、電気的切り替えユニットによってインターフェース適応ユニットへ送信されるサービスデータをインターフェース適応ユニットにキャッシュするため、調整されるべきリンク上で適応制御情報をインターフェース適応ユニットへ送信してよく、光クロスコネクトユニットが接続調整を完了した後に、インターフェース適応ユニットのサービスデータ送信を再開するため、追加帯域幅によって成立する冗長リンクを使ってキャッシュされたサービスデータを放出するため、調整済みのリンク上で適応制御情報をインターフェース適応ユニットへ再度送信してよい。
【０１３８】
本発明の実施形態で提供されるサービス切り替えシステムとサービス切り替え方法では、異なるサービス処理サブラック間の相互接続を実現するため、先行技術で使われている電気的切り替えサブラックの代わりに光クロスコネクトサブラックが使われることが、前述した実施形態から分かる。このため、先行技術におけるサブラック間接続過程における2回の電気・光変換と2回の光・電気変換は、1回の電気・光変換と1回の光・電気変換に低減される。したがって、サブラック間接続のための光モジュールの数量が低減され、システムのコストとシステムの消費電力が低減され、換言すれば、サービス切り替えシステムの相互接続コストが低減される。
【０１３９】
加えて、サービス処理サブラック間の光信号のレートは光学的切り替えサブラックのレートと無関係である。したがって、サービス処理サブラック間の相互接続レートが増加する場合でも、既存の光クロスコネクトサブラックを引き続き使用でき、同時にアップグレードせずにすむ。先行技術に比べてアップグレードのプロセスが簡素化され、システムのアップグレードコストが低減される。
【０１４０】
また、2回の光・電気変換と2回の電気・光変換と1回の電気的切り替えというコストを要する先行技術と違って、本発明の実施形態で提供されるサービス切り替えシステムでは、相互接続に光クロスコネクトサブラックが使われるため、1回の光・電気変換と1回の電気・光変換だけですむ。したがって、システムでサポートできる合計帯域幅が必要合計アクセス帯域幅以上なら、システム全体でサービスが途絶することはない。
【０１４１】
さらに、システムで追加帯域幅が設定されるため、光クロスコネクトと電気的切り替えの同時制御と帯域幅割り当てによって途絶しないシステムサービス切り替えをさらに保証できる。これは、既存のサービスが光クロスコネクト調整のときに障害を被らないことを保証する。
【０１４２】
尚、本発明の実施形態における装置は、具体的にはチップまたは存在物によって実装されてよく、あるいは特定の機能を有する製品によって実装されてよい。
【０１４３】
本発明の実施形態で提供されるサービス切り替え方法の実施形態は、サービス切り替えシステムの実施形態と基本的に同様である。したがって、サービス切り替え方法の実施形態は手短に説明されている。関係する部分については、サービス切り替えシステムの実施形態におけるかかる部分の説明を参照されたい。
【０１４４】
説明を簡単にするため、前述した装置は機能によって様々なユニットに分割されており、それぞれのユニットは別々に説明されている。当然ながら、本発明が実装される場合に、それぞれのユニットの機能は1つ以上のソフトウェアおよび／またはハードウェアで実装されてよい。
【０１４５】
必要な汎用ハードウェアプラットフォームに加えてソフトウェアを用いて本発明が実装されてよいことを当業者が明確に理解できることは、前述した実装の説明から分かる。そのような理解を踏まえ、本発明の技術的解決手段は、あるいは先行技術に寄与する部分は、ソフトウェア製品の形で実装されてよい。コンピュータソフトウェア製品は、ROM／RAM、磁気ディスク、光ディスク等の記憶媒体に格納されてよく、実施形態で説明されている方法を、あるいは本発明の実施形態の一部分を、遂行することをコンピュータ装置（パーソナルコンピュータ、サーバ、ネットワーク装置等であってよい）に指図するいくつかの命令を含む。
【０１４６】
尚、本明細書において、第1や第2といった関係語は、ある1つの存在物や操作を別の存在物や操作から区別するために専ら使われており、これらの存在物や操作に実際の関係や順序が存在することを必ずしも要求したり暗示したりするものではない。また、用語include（含む）、comprise（備える）、ならびにその変形は非排他的な包含を意図するものであり、記載された要素を含むプロセス、方法、物品、または装置は、記載された要素を含むばかりでなく、明確に記載されていない他の要素をも含み、あるいは該プロセス、方法、物品、または装置に本質的に備わっている要素をさらに含む。さらなる制限が課されることなく、including a．．．（含む）という表現で規定されている要素は、該要素を含むプロセス、方法、物品、または装置における他の同等の要素の存在を排除するものではない。
【０１４７】
本仕様書では実施形態が関連付けて説明されており、実施形態に含まれる同じ部分や類似する部分については相互参照が可能であり、それぞれの実施形態では他の実施形態との違いに焦点を当てている。特に、システムの実施形態は方法の実施形態と基本的に同様であるため、手短に説明されている。関係する部分については、方法の実施形態におけるかかる部分の説明を参照されたい。
【０１４８】
上記の説明は本発明の実施形態の例に過ぎず、本発明の保護範囲を制限するものではない。本発明の精神と原理から逸脱せずになされる変更や同等の差し替えや改良は本発明の保護範囲内に入る。
【符号の説明】
【０１４９】
120  サービス処理サブラック
121  光クロスコネクトサブラック
122  帯域幅制御ユニット
201  第1のサービス処理サブラック
202  第1の電気・光変換モジュール
203  第1の光・電気変換モジュール
204  電気的切り替えサブラック
205  第2の電気・光変換モジュール
206  第2の光・電気変換モジュール
207  第2のサービス処理サブラック
300a  サービス処理サブラック
300b  サービス処理サブラック
310a  光クロスコネクトサブラック
310b  光クロスコネクトサブラック
320  帯域幅制御ユニット
400  サービス処理サブラック
401  サービス処理ユニット
402  電気的切り替えユニット
403  インターフェース適応ユニット
410  光クロスコネクトサブラック
411  光クロスコネクトユニット
420  帯域幅制御ユニット
501  第1の電気信号インターフェース
502  電気的切り替えモジュール
503  第2の電気信号インターフェース
504  第1の帯域幅制御インターフェース
601  第3の電気信号インターフェース
602  適応処理モジュール
603  光・電気変換インターフェース
604  第2の帯域幅制御インターフェース
701  第1の受信処理サブモジュール
702  並べ替え・整列サブモジュール
703  第1のデータキャッシュサブモジュール
704  送信制御サブモジュール
705  第2の受信処理サブモジュール
706  第2のデータキャッシュサブモジュール
707  遅延制御サブモジュール
708  送信処理サブモジュール
709  制御インターフェース
801  光ファイバインターフェース
802  ダイナミック光クロスコネクタ
803  第3の帯域幅制御インターフェース
1001  サービスインターフェース
1002  サービス処理モジュール
1003  第4の電気信号インターフェース
1004  トラフィック収集インターフェース
1101  第1のトラフィック情報受信インターフェース
1102  第1の設定インターフェース
1103  第1のサービス帯域幅コントローラ
1104  第4の帯域幅制御インターフェース
1202  電気的切り替えユニット
1203  インターフェース適応ユニット
1211  光クロスコネクトユニット
1301  光ファイバインターフェース
1302  スタティック光クロスコネクタ
1501  第2のトラフィック情報受信インターフェース
1502  第2の設定インターフェース
1503  第2のサービス帯域幅コントローラ
1504  第5の帯域幅制御インターフェース
【図１】
0006521543.tif 000002
【図２】
0006521543.tif 000003
【図３ａ】
0006521543.tif 000004
【図３ｂ】
0006521543.tif 000005
【図４】
0006521543.tif 000006
【図５】
0006521543.tif 000007
【図６】
0006521543.tif 000008
【図７】
0006521543.tif 000009
【図８】
0006521543.tif 000010
【図９】
0006521543.tif 000011
【図１０】
0006521543.tif 000012
【図１１】
0006521543.tif 000013
【図１２】
0006521543.tif 000014
【図１３】
0006521543.tif 000015
【図１４】
0006521543.tif 000016
【図１５】
0006521543.tif 000017
【図１６ａ】
0006521543.tif 000018
【図１６ｂ】
0006521543.tif 000019